(57)【要約】作物の育成ステージごとの気象が影響するさまざまな費用（天候コスト）を考慮でき、より正確に費用を予測できる、農作業のための費用算出方法。算出装置（１００）は、生育ステージ−期間における気温や降水量などの気象要素（１）を予測し、また、そのステージにおけるその作物のための作業にかかる標準的な費用（２）を取得する。装置（１００）は、ステージ−期間における予測する気象が記憶部（１１０）における気象条件に合うなら、施すべき対処策のための費用と標準的な費用（２）とに基づいて予測費用（４）を算出する。
2013128557.tif 000002
【特許請求の範囲】
【請求項１】
コンピュータが、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行することを特徴とする費用算出方法。
【請求項２】
前記算出する処理は、
前記予測値が前記気象条件を満たさない場合、前記標準的な費用に基づいて、前記作物の前記生育ステージにおける農作業にかかる予測費用を算出することを特徴とする請求項１に記載の費用算出方法。
【請求項３】
前記出力する処理は、
前記予測値が前記気象条件を満たす場合、前記生育ステージの前記作物に対して施すべき前記対処策を表す情報を前記予測費用と関連付けて出力することを特徴とする請求項１または２に記載の費用算出方法。
【請求項４】
前記記憶部は、前記作物の生育ステージごとに、気象条件を表す前記気象要素の指標値と、前記気象条件下における前記生育ステージの前記作物に対して施すべき対処策にかかる費用とを対応付けて記憶しており、
前記コンピュータが、
前記作物の生育ステージごとに、前記取得する処理、前記判定する処理および前記算出する処理を実行し、
算出した前記生育ステージごとの前記予測費用を積算することにより、前記作物の農作業にかかる総予測費用を算出し、
算出した前記総予測費用を出力する、
処理を実行することを特徴とする請求項１〜３のいずれか一つに記載の費用算出方法。
【請求項５】
前記コンピュータが、
現時点までに前記作物の農作業にかかった費用を取得し、
前記作物の生育ステージのうち前記現時点の生育ステージ以降の生育ステージごとに、前記取得する処理、前記判定する処理および前記算出する処理を実行し、
前記総予測費用を算出する処理は、
取得した前記農作業にかかった費用と、算出した前記生育ステージごとの前記予測費用とを積算することにより、前記作物の農作業にかかる総予測費用を算出することを特徴とする請求項４に記載の費用算出方法。
【請求項６】
前記総予測費用を算出する処理は、
取得した前記農作業にかかった費用のうち前記現時点の生育ステージにおける前記作物の農作業にかかった費用を除く残余の費用と、算出した前記生育ステージごとの前記予測費用とを積算することにより、前記作物の農作業にかかる総予測費用を算出することを特徴とする請求項５に記載の費用算出方法。
【請求項７】
前記コンピュータが、
算出した前記総予測費用が、前記圃場に前記作物を栽培することにより得られる予測売上よりも大きくなるか否かを判断し、
判断した判断結果を出力する、
処理を実行することを特徴とする請求項４〜６のいずれか一つに記載の費用算出方法。
【請求項８】
コンピュータに、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行させることを特徴とする費用算出プログラム。
【請求項９】
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得する取得部と、
気象条件を表す前記気象要素の指標値と、前記気象条件下における前記生育ステージの前記作物に対して施すべき対処策にかかる費用とを対応付けて記憶する記憶部を参照して、前記取得部によって取得された前記予測値が前記気象条件を満たすか否かを判定する判定部と、
前記判定部によって前記予測値が前記気象条件を満たすと判定された場合、前記対処策にかかる費用と前記標準的な費用とに基づいて、前記作物の前記生育ステージにおける農作業にかかる予測費用を算出する算出部と、
前記算出部によって算出された前記予測費用を出力する出力部と、
を有することを特徴とする費用算出装置。
【発明の詳細な説明】
【技術分野】
【０００１】
本発明は、費用算出方法、費用算出プログラムおよび費用算出装置に関する。
【背景技術】
【０００２】
圃場において農作物を栽培する場合、栽培途中のある時点までにかかった総費用が、農作物を栽培することにより得られる予測売上よりも多くなると、農作物の栽培を続けるほど赤字が増えることが想定される。このため、営農者は、圃場における農作物の栽培を、収穫を待たずに止めることも対処策の一つとして考えることが必要となる場合がある。【０００３】
関連する先行技術としては、例えば、リモートセンシングデータから得た作物の光反射率、ＮＤＶＩまたはＧＮＤＶＩから糖量を予測することにより、収穫前に作物の収量を予測するものがある。また、例えば、営農計画を作成するためのデータベース、生産計画作成技術、生産計画と連動した財務計画作成技術を提供する先行技術がある。
【先行技術文献】
【特許文献】
【０００４】
【特許文献１】特開２０１０−１６６８５１号公報
【特許文献２】特開２００３−３０２７８号公報
【発明の概要】
【発明が解決しようとする課題】
【０００５】
しかしながら、従来技術によれば、圃場において栽培される農作物の農作業にかかる費用を予測することが難しいという問題がある。例えば、農作物の生育ステージによっては、農作物の成長に対して天候が与える影響が異なり、農作物に対して施すべき対処策が変化する場合があるため、農作業にかかる費用を予測することが難しい。【０００６】
一側面では、本発明は、ある生育ステージの作物の特定の天候時における農作業にかかる費用を算出することができる費用算出方法、費用算出プログラムおよび費用算出装置を提供することを目的とする。
【課題を解決するための手段】
【０００７】
本発明の一側面によれば、圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、前記予測値が前記気象条件を満たす場合、前記対処策にかかる費用と前記標準的な費用とに基づいて、前記作物の前記生育ステージにおける農作業にかかる予測費用を算出し、算出した前記予測費用を出力する費用算出方法、費用算出プログラムおよび費用算出装置が提案される。
【発明の効果】
【０００８】
本発明の一態様によれば、ある生育ステージの作物の特定の天候時における農作業にかかる費用を算出することができるという効果を奏する。
【図面の簡単な説明】
【０００９】
【図１】図１は、実施の形態１にかかる費用算出方法の一実施例を示す説明図である。
【図２】図２は、損益予測装置２００のハードウェア構成例を示すブロック図である。
【図３】図３は、圃場ＤＢ３００の記憶内容の一例を示す説明図である。
【図４】図４は、作業履歴データの具体例を示す説明図である。
【図５】図５は、使用履歴データの具体例を示す説明図である。
【図６】図６は、作業員マスタ６００の記憶内容の一例を示す説明図である。
【図７】図７は、資材マスタ７００の記憶内容の一例を示す説明図である。
【図８】図８は、気象データＤＢ８００の記憶内容の一例を示す説明図である。
【図９】図９は、栽培期間管理テーブル９００の記憶内容の一例を示す説明図である。
【図１０】図１０は、標準コストマスタ１０００の記憶内容の一例を示す説明図である。
【図１１】図１１は、天候コストマスタ１１００の記憶内容の一例を示す説明図である。
【図１２】図１２は、標準反収マスタ１２００の記憶内容の一例を示す説明図である。
【図１３】図１３は、作物生育限界温度マスタ１３００の記憶内容の一例を示す説明図である。
【図１４】図１４は、損益予測装置２００の機能的構成例を示すブロック図である。
【図１５】図１５は、日平均気温に基づく類似度の算出例を示す説明図である。
【図１６】図１６は、日平均気温の積算値に基づく類似度の算出例を示す説明図である。
【図１７】図１７は、予測気象データの具体例を示す説明図である。
【図１８】図１８は、コスト管理テーブル１８００の記憶内容の一例を示す説明図である。
【図１９】図１９は、損益予測条件入力画面の画面例を示す説明図である。
【図２０】図２０は、損益予測画面の画面例を示す説明図である。
【図２１】図２１は、損益予測装置２００の損益予測処理手順の一例を示すフローチャートである。
【図２２】図２２は、実績コスト算出処理の具体的処理手順の一例を示すフローチャート（その１）である。
【図２３】図２３は、実績コスト算出処理の具体的処理手順の一例を示すフローチャート（その２）である。
【図２４】図２４は、予測気象データ取得処理の具体的処理手順の一例を示すフローチャートである。
【図２５】図２５は、予測コスト算出処理の具体的処理手順の一例を示すフローチャート（その１）である。
【図２６】図２６は、予測コスト算出処理の具体的処理手順の一例を示すフローチャート（その２）である。
【図２７】図２７は、損益予測処理の具体的処理手順の一例を示すフローチャートである。
【発明を実施するための形態】
【００１０】
以下に添付図面を参照して、この発明にかかる費用算出方法、費用算出プログラムおよび費用算出装置の実施の形態を詳細に説明する。
【００１１】
（実施の形態１）
図１は、実施の形態１にかかる費用算出方法の一実施例を示す説明図である。図１において、費用算出装置１００は、圃場において栽培される作物の各生育ステージにおける農作業にかかる費用を算出するコンピュータである。
【００１２】
ここで、圃場とは、作物を栽培するための田畑、菜園、果樹園などである。作物とは、例えば、穀類、野菜、果樹などの農作物である。作物は、例えば、品目、品種および作型の組み合わせによって分類することができる。品目とは、作物の種類である。品目としては、例えば、水稲、キャベツ、ニンジン、ミカンなどがある。
【００１３】
品種とは、同一品目の中の種類である。例えば、キャベツの品種として、寒玉キャベツ、春玉キャベツ、グリーンボールキャベツ、紫キャベツなどがある。また、ミカンの品種として、ゆら早生、宮川早生、久能温州、大津４号、青島温州などがある。作型とは、作物の栽培を行うときの条件や技術の組み合わせを示す体系である。作型としては、例えば、直播、田植え、春まき栽培、夏まき栽培、秋まき栽培、冬まき栽培などがある。
【００１４】
生育ステージとは、時間の経過にしたがって成長する作物の成長段階を示すものである。例えば、ミカンの生育ステージとして、発芽期、開花期、満開期、生理落果期、果実肥大期、成熟期、収穫期などがある。また、キャベツの生育ステージとして、播種期、育苗期、移植期、定植期、生育期、収穫期などがある。また、農作業とは、作物を栽培するための作業である。農作業としては、例えば、見回り、播種、耕起、耕耘、施肥、田植え、整地、農薬散布、除草、間引き、追肥、培土、収穫などがある。
【００１５】
また、費用算出装置１００は、記憶部１１０にアクセス可能である。記憶部１１０は、作物の生育ステージごとに、気象条件を表す気象要素の指標値と、該気象条件下における該生育ステージの作物に対して施すべき対処策にかかる費用とを対応付けて記憶する記憶装置である。
【００１６】
ここで、気象条件とは、大気の状態を表す条件である。気象条件は、気象要素を用いて定義することができる。気象要素とは、天気の特性を表す要素である。気象要素は、例えば、気温、降水量、日照時間、湿度、気圧、風速などである。対処策とは、天候の影響が栽培途中の作物の成長に与える弊害を回避するために行われるものである。
【００１７】
作物の成長に与える天候の影響は、作物の生育ステージによって異なる場合がある。例えば、降水量が所定量以上という気象条件を想定する。この場合、作物の種を播いたばかりの時期は、雨によって種が流れやすいため、種の流出を防ぐ対処策を施す費用が発生する。これに対して、作物の根が活着した後の時期であれば、成長には水分が必要なため、対処策を施す必要がなく費用が発生しない。
【００１８】
このように、同一の気象条件下であっても、作物の生育ステージによっては、作物に対して施すべき対処策が異なり、農作業にかかる費用が異なる場合がある。別の言い方をすれば、同一の気象条件下であっても、作物の生育ステージによっては、気象条件が作物の生育にとって良い影響を与える場合もあるし、悪い影響を与える場合も有る。そこで、本実施の形態では、費用算出装置１００は、特定の天候となるある生育ステージの作物の農作業にかかる費用を、該生育ステージの作物の農作業にかかる標準的な費用に、特定の天候時に該生育ステージの作物に施すべき対処策の費用を加味して求める。
【００１９】
以下、費用算出装置１００の費用算出処理手順例について説明する。以下の説明では、農作業にかかる費用の算出対象となる作物を「対象作物」と表記する場合がある。また、農作業にかかる費用の算出対象となる生育ステージを「対象生育ステージ」と表記する場合がある。また、対象作物の栽培期間のうち対象生育ステージに対応する期間を「対象期間」と表記する場合がある。
【００２０】
（１）費用算出装置１００は、対象圃場において栽培される対象作物の栽培期間のうち対象作物の対象生育ステージに対応する対象期間における気象要素の予測値を取得する。ここで、気象要素の予測値とは、例えば、対象圃場を含む地域の対象期間における気温、降水量、日照時間、湿度、気圧、風速などを予測した値である。図１の例では、対象期間における気象要素の予測値として、対象期間における積算降水量の予測値『１５０［ｍｍ］』が取得されている。
【００２１】
具体的には、例えば、費用算出装置１００は、ユーザの操作入力により、または、データベースからの抽出により、対象期間における気象要素の予測値を取得する。また、費用算出装置１００は、外部のコンピュータから対象期間における気象要素の予測値を取得することにしてもよい。
【００２２】
（２）費用算出装置１００は、対象生育ステージにおける対象作物の農作業にかかる標準的な費用を取得する。ここで、標準的な費用とは、例えば、対象作物の対象生育ステージにおける農作業にかかった単位面積当たりの費用の平均値である。図１の例では、対象作物『ミカン』の対象生育ステージ『成熟期』における農作業にかかった標準的な費用として、１０［ａ（アール）］当たりの標準的な費用『１０００００［円］』が取得されている。なお、１［ａ］は１００平方メートルである。
【００２３】
具体的には、例えば、費用算出装置１００は、ユーザの操作入力により、または、データベースからの抽出により、対象作物の対象生育ステージにおける農作業にかかった標準的な費用を取得する。また、費用算出装置１００は、外部のコンピュータから対象作物の対象生育ステージにおける農作業にかかった標準的な費用を取得することにしてもよい。
【００２４】
（３）費用算出装置１００は、取得した対象期間における気象要素の予測値が、対象作物の対象生育ステージと対応付けて記憶部１１０に記憶されている気象条件を満たすか否かを判定する。図１の例では、対象期間における気象要素の予測値は、対象期間における積算降水量の予測値『１５０［ｍｍ］』である。
【００２５】
また、対象作物の対象生育ステージに対応する気象条件は、作物『ミカン』の生育ステージ『成熟期』と対応付けて記憶部１１０に記憶されている気象条件『積算降水量が１００［ｍｍ］以上』である。このため、費用算出装置１００は、対象期間における気象要素の予測値が、対象作物の対象生育ステージに対応する気象条件を満たすと判定する。
【００２６】
（４）費用算出装置１００は、対象期間における気象要素の予測値が気象条件を満たす場合、該気象条件下における対象生育ステージの対象作物に対して施すべき対処策にかかる費用と、取得した標準的な費用とに基づいて、農作業にかかる予測費用を算出する。ここで、農作業にかかる予測費用とは、対象作物の対象生育ステージにおける農作業にかかる費用の予測値である。
【００２７】
図１の例では、『積算降水量が１００［ｍｍ］以上』という気象条件下における生育ステージ『成熟期』の作物『ミカン』に対して施すべき対処策は『マルチシートを敷く』である。また、対処策『マルチシートを敷く』にかかる費用は『４００００［円］』である。この費用は、１０［ａ］当たりの対処策『マルチシートを敷く』にかかる費用である。
【００２８】
このため、費用算出装置１００は、例えば、取得した標準的な費用に対処策にかかる費用を加算することにより、対象作物の対象生育ステージにおける農作業にかかる予測費用を算出する。図１の例では、対象作物の対象生育ステージにおける農作業にかかる予測費用は『１４００００［円］』となる。なお、マルチシートとは、ミカンが結実した後に降雨があると実の糖分率が下がるため、雨が土中に染み込まないようにするための対処策である。
【００２９】
このように、実施の形態１にかかる費用算出装置１００によれば、対象期間における気象要素の予測値が特定の気象条件を満たす場合、特定の気象条件下における対象生育ステージの対象作物に対して施すべき対処策にかかる費用を特定することができる。そして、費用算出装置１００によれば、特定した対処策にかかる費用と、対象生育ステージにおける対象作物の農作業にかかる標準的な費用とに基づいて、対象作物の対象生育ステージにおける農作業にかかる予測費用を算出することができる。
【００３０】
これにより、対象作物の成長に与える対象生育ステージ特有の天候の影響を考慮して、対象生育ステージにおける農作業にかかる予測費用を予測することができる。この結果、例えば、営農者は、特定の天候時に対象生育ステージの対象作物に対して施すべき対処策にかかる費用が加味された予測費用を把握することができる。
【００３１】
（実施の形態２）
つぎに、実施の形態１において説明した費用算出装置１００を、対象作物の損益を予測する損益予測装置２００に適用した場合について説明する。なお、実施の形態１において説明した箇所と同様の箇所については説明を省略する。
【００３２】
（損益予測装置２００のハードウェア構成例）
図２は、損益予測装置２００のハードウェア構成例を示すブロック図である。図２において、損益予測装置２００は、ＣＰＵ（Ｃｅｎｔｒａｌ  Ｐｒｏｃｅｓｓｉｎｇ  Ｕｎｉｔ）２０１と、ＲＯＭ（Ｒｅａｄ‐Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、磁気ディスクドライブ２０４と、磁気ディスク２０５と、光ディスクドライブ２０６と、光ディスク２０７と、ディスプレイ２０８と、Ｉ／Ｆ（Ｉｎｔｅｒｆａｃｅ）２０９と、キーボード２１０と、マウス２１１と、スキャナ２１２と、プリンタ２１３と、を有している。また、各構成部はバス２２０によってそれぞれ接続されている。
【００３３】
ここで、ＣＰＵ２０１は、損益予測装置２００の全体の制御を司る。ＲＯＭ２０２は、ブートプログラムなどのプログラムを記憶している。ＲＡＭ２０３は、ＣＰＵ２０１のワークエリアとして使用される。磁気ディスクドライブ２０４は、ＣＰＵ２０１の制御にしたがって磁気ディスク２０５に対するデータのリード／ライトを制御する。磁気ディスク２０５は、磁気ディスクドライブ２０４の制御で書き込まれたデータを記憶する。
【００３４】
光ディスクドライブ２０６は、ＣＰＵ２０１の制御にしたがって光ディスク２０７に対するデータのリード／ライトを制御する。光ディスク２０７は、光ディスクドライブ２０６の制御で書き込まれたデータを記憶したり、光ディスク２０７に記憶されたデータをコンピュータに読み取らせたりする。
【００３５】
ディスプレイ２０８は、カーソル、アイコンあるいはツールボックスをはじめ、文書、画像、機能情報などのデータを表示する。このディスプレイ２０８は、例えば、ＣＲＴ、ＴＦＴ液晶ディスプレイ、プラズマディスプレイなどを採用することができる。
【００３６】
Ｉ／Ｆ２０９は、通信回線を通じて有線または無線のネットワーク２１４に接続され、ネットワーク２１４を介して他のコンピュータに接続される。ネットワーク２１４は、例えば、ＬＡＮ（Ｌｏｃａｌ  Ａｒｅａ  Ｎｅｔｗｏｒｋ）、無線ＬＡＮ、ＷＡＮ（Ｗｉｄｅ  Ａｒｅａ  Ｎｅｔｗｏｒｋ）、インターネットなどである。そして、Ｉ／Ｆ２０９は、ネットワーク２１４と内部のインターフェースを司り、外部のコンピュータからのデータの入出力を制御する。Ｉ／Ｆ２０９には、例えば、モデムやＬＡＮアダプタなどを採用することができる。
【００３７】
キーボード２１０は、文字、数字、各種指示などの入力のためのキーを備え、データの入力を行う。また、タッチパネル式の入力パッドやテンキーなどであってもよい。マウス２１１は、カーソルの移動や範囲選択、あるいはウィンドウの移動やサイズの変更などを行う。
【００３８】
スキャナ２１２は、画像を光学的に読み取り、損益予測装置２００内に画像データを取り込む。また、プリンタ２１３は、画像データや文書データを印刷する。プリンタ２１３には、例えば、レーザプリンタやインクジェットプリンタを採用することができる。なお、費用算出装置１００は、上述した構成部のうち、例えば、光ディスクドライブ２０６、光ディスク２０７、スキャナ２１２およびプリンタ２１３を有さないことにしてもよい。
【００３９】
（各種データベース等の記憶内容）
つぎに、損益予測装置２００が有する各種データベース等の記憶内容について説明する。以下に説明する各種データベース等は、例えば、図２に示したＲＡＭ２０３、磁気ディスク２０５、光ディスク２０７などの記憶装置により実現される。
【００４０】
＜圃場ＤＢ（データベース）３００の記憶内容＞
図３は、圃場ＤＢ３００の記憶内容の一例を示す説明図である。図３において、圃場ＤＢ３００は、圃場ＩＤ、圃場名、品目、品種、作型、生育ステージ、作業履歴データおよび使用履歴データのフィールドを有する。各フィールドに情報を設定することにより、圃場Ｆ１〜Ｆｎの圃場情報３００−１〜３００−ｎがレコードとして記憶されている。
【００４１】
圃場ＩＤは、圃場Ｆ１〜Ｆｎを一意に識別する識別子である。圃場Ｆ１〜Ｆｎは、例えば、農場の経営者が管理している圃場である。以下、圃場Ｆ１〜Ｆｎのうち任意の圃場を「圃場Ｆｉ」と表記する場合がある（ｉ＝１，２，…，ｎ）。
【００４２】
圃場名は、圃場Ｆｉの名称である。品目は、圃場Ｆｉで栽培されている作物の品目である。品種は、圃場Ｆｉで栽培されている作物の品種である。作型は、圃場Ｆｉで栽培されている作物の作型である。生育ステージは、圃場Ｆｉで栽培されている作物の生育ステージである。
【００４３】
作業履歴データは、圃場Ｆｊで行われた農作業の作業履歴を示す情報である。作業履歴データについての詳細な説明は、図４を用いて後述する。使用履歴データは、圃場Ｆｊで使用された資材の使用履歴を示す情報である。資材とは、農作業に使用される農機具、農薬、種子などである。農機具としては、例えば、農業用トラクタ、耕耘機、田植機、コンバイン、農薬散布機などがある。使用履歴データについての詳細な説明は、図５を用いて後述する。
【００４４】
圃場情報３００−１を例に挙げると、圃場Ｆ１の圃場名「圃場Ａ」、品目「キャベツ」、品種「秋冬キャベツ」、作型「秋まき」、生育ステージ「播種期」、作業履歴データＷ１および使用履歴データＭ１が設定されている。なお、圃場ＤＢ３００には、圃場Ｆｉにおける農作業が現在進行中の圃場情報と、圃場Ｆｉにおける農作業が終了している圃場情報とが含まれている。
【００４５】
つぎに、作業履歴データの具体例について説明する。ここでは、図３に示した圃場情報３００−１に設定されている作業履歴データＷ１を例に挙げて説明する。
【００４６】
図４は、作業履歴データの具体例を示す説明図である。図４において、作業履歴データＷ１は、圃場ＩＤ、作業日、作業時刻、作業内容および作業者名のフィールドを有する。各フィールドの情報を設定することにより、作業履歴（例えば、作業履歴４００−１〜４００−５）がレコードとして記憶されている。
【００４７】
圃場ＩＤは、圃場Ｆｊの識別子である。作業日は、圃場Ｆｊにおいて農作業が行われた年月日である。作業時刻は、圃場Ｆｊにおいて農作業が行われた作業時刻である。作業内容は、圃場Ｆｊにおいて行われた農作業の作業内容である。作業者名は、圃場Ｆｊにおいて行われた農作業の作業者の名称である。
【００４８】
作業履歴４００−１を例に挙げると、作業日「２０１１／０１／０８」の作業時刻「１３：３２〜１５：３１」に圃場Ｆ１において行われた農作業の作業内容「耕起」および作業者名「作業者Ａ」が設定されている。なお、作業履歴データは、圃場Ｆｊにおいて新たな農作業が行われると、その都度更新される。
【００４９】
つぎに、使用履歴データの具体例について説明する。ここでは、図３に示した圃場情報３００−１に設定されている使用履歴データＭ１を例に挙げて説明する。
【００５０】
図５は、使用履歴データの具体例を示す説明図である。図５において、使用履歴データＭ１は、圃場ＩＤ、作業日、使用時刻、資材名および作業者名のフィールドを有する。各フィールドに情報を設定することにより、使用履歴（例えば、使用履歴５００−１〜５００−５）がレコードとして記憶されている。
【００５１】
圃場ＩＤは、圃場Ｆｊの識別子である。作業日は、圃場Ｆｊにおいて農作業が行われた年月日である。使用時刻は、資材が使用された時刻である。資材名は、農作業に使用された資材の名称である。作業者名は、圃場Ｆｊにおいて行われた農作業の作業者の名称である。
【００５２】
使用履歴５００−１を例に挙げると、作業日「２０１１／０１／０８」の使用時刻「１３：３２−１５：３１」に圃場Ｆ１において使用された資材の名称「１５馬力（ＡＳＴＥ）」および作業者名「作業者Ａ」が設定されている。なお、使用履歴データは、圃場Ｆｊの農作業において新たな資材が使用されると、その都度更新される。
【００５３】
＜作業員マスタ６００の記憶内容＞
図６は、作業員マスタ６００の記憶内容の一例を示す説明図である。図６において、作業員マスタ６００は、作業者名および単価のフィールドを有する。各フィールドに情報を設定することにより、作業員情報（例えば、作業員情報６００−１〜６００−４）がレコードとして記憶されている。
【００５４】
作業者名は、農業に従事する作業者の名称である。単価は、作業者の１時間当たりの農作業に対して支払われる人件費である。作業員情報６００−１を例に挙げると、作業者名「作業者Ａ」の単価「２０００［円］」が設定されている。
【００５５】
＜資材マスタ７００の記憶内容＞
図７は、資材マスタ７００の記憶内容の一例を示す説明図である。図７において、資材マスタ７００は、資材名および単価のフィールドを有する。各フィールドに情報を設定することにより、資材情報（例えば、資材情報７００−１，７００−２）がレコードとして記憶されている。
【００５６】
資材名は、農作業に使用される資材の名称である。単価は、資材の１時間当たりの使用に対して支払われる資材費である。資材情報７００−１を例に挙げると、資材名「１５馬力」の単価「２０００［円］」が設定されている。
【００５７】
＜気象データＤＢ８００の記憶内容＞
つぎに、気象データＤＢ８００の記憶内容について説明する。気象データＤＢ８００は、対象圃場を含む地域において測定された気象データを記憶するデータベースである。気象データは、気象要素の測定値を示す情報である。
【００５８】
図８は、気象データＤＢ８００の記憶内容の一例を示す説明図である。図８において、気象データＤＢ８００は、年月日、時、気温、降水量および日照時間のフィールドを有する。各フィールドに情報を設定することにより、気象データがレコードとして記憶されている。
【００５９】
年月日は、気象データが測定された年月日である。時は、気象データが測定された時間帯である。気温は、対象圃場を含む地域において測定された気温である。降水量は、対象圃場を含む地域において測定された降水量である。日照時間は、対象圃場を含む地域において測定された日照時間である。なお、対象圃場を含む地域において新たな気象データが測定されると、その都度、測定された気象データが気象データＤＢ８００に記憶される。
【００６０】
＜栽培期間管理テーブル９００の記憶内容＞
つぎに、栽培期間管理テーブル９００の記憶内容について説明する。栽培期間管理テーブル９００は、対象圃場において栽培される対象作物の栽培期間を表す情報である。ここでは、対象作物として、品目「キャベツ」、品種「寒玉」、作型「春播き夏穫り」の作物を例に挙げて説明する。
【００６１】
図９は、栽培期間管理テーブル９００の記憶内容の一例を示す説明図である。図９において、栽培期間管理テーブル９００は、品目、品種、作型、圃場名、生育ステージ、期間開始日および期間終了日のフィールドを有する。各フィールドに情報を設定することにより、対象作物の生育ステージごとの期間管理情報９００−１〜９００−４がレコードとして記憶されている。
【００６２】
品目は、対象作物の品目である。品種は、対象作物の品種である。作型は、対象作物の作型である。圃場名は、対象圃場の名称である。生育ステージは、対象作物の生育ステージである。期間開始日は、対象作物の栽培期間のうち各生育ステージに対応する期間の開始日である。期間終了日は、対象作物の栽培期間のうち各生育ステージに対応する期間の終了日である。
【００６３】
期間管理情報９００−１を例に挙げると、圃場名「圃場Ａ」の対象圃場において栽培される品目「キャベツ」、品種「寒玉」、作型「春播き夏穫り」の対象作物の生育ステージ「準備期」に対応する期間の期間開始日「２０１２／４／１」および期間終了日「２０１２／４／１５」が設定されている。
【００６４】
＜標準コストマスタ１０００の記憶内容＞
つぎに、標準コストマスタ１０００の記憶内容について説明する。標準コストマスタ１０００は、対象作物の各生育ステージにおける農作業にかかる標準的な費用を表す標準コスト情報を記憶している。ここでは、対象作物として、品目「キャベツ」、品種「寒玉」、作型「春播き夏穫り」の作物を例に挙げて説明する。
【００６５】
図１０は、標準コストマスタ１０００の記憶内容の一例を示す説明図である。図１０において、標準コストマスタ１０００は、品目、品種、作型、生育ステージ、人件費および資材費のフィールドを有する。各フィールドに情報を設定することにより、標準コスト情報１０００−１〜１０００−４がレコードとして記憶されている。
【００６６】
品目は、対象作物の品目である。品種は、対象作物の品種である。作型は、対象作物の作型である。生育ステージは、対象作物の生育ステージである。人件費は、対象作物の各生育ステージにおける農作業にかかる標準的な人件費［円］である。資材費は、対象作物の各生育ステージにおける農作業にかかる標準的な資材費［円］である。なお、人件費および資材費は、１０［ａ］当たりのものである。
【００６７】
標準コスト情報１０００−１を例に挙げると、品目「キャベツ」、品種「寒玉」、作型「春播き夏穫り」の対象作物の生育ステージ「準備期」における農作業にかかる標準的な人件費「１５０００［円］」および資材費「７０００［円］」が設定されている。
【００６８】
＜天候コストマスタ１１００の記憶内容＞
つぎに、天候コストマスタ１１００の記憶内容について説明する。天候コストマスタ１１００は、図１に示した記憶部１１０に相当する。天候コストマスタ１１００は、対象作物の生育ステージごとに、ある気象条件下における該生育ステージの対象作物に対して施すべき対処策にかかる費用を表す天候コスト情報を記憶している。ここでは、対象作物として、品目「ミカン」、品種「××早生」、作型「早生」の作物を例に挙げて説明する。
【００６９】
図１１は、天候コストマスタ１１００の記憶内容の一例を示す説明図である。図１１において、天候コストマスタ１１００は、品目、品種、作型、生育ステージ、指標、指標値、単位、条件、対処策および天候コストのフィールドを有する。各フィールドに情報を設定することにより、天候コスト情報１１００−１〜１１００−６がレコードとして記憶されている。
【００７０】
品目は、対象作物の品目である。品種は、対象作物の品種である。作型は、対象作物の作型である。生育ステージは、対象作物の生育ステージである。指標は、対象作物の各生育ステージにおける特定の気象条件を表すための気象要素である。指標値は、特定の気象条件を表すための気象要素の値である。
【００７１】
単位は、特定の気象条件を表すための気象要素の値の単位である。条件は、特定の気象条件を表すための気象要素の条件である。対処策は、各気象条件下における各生育ステージの対象作物に対して施すべき対処策である。天候コストは、対象作物に対して対処策を施すことにより増加する費用［円／１０ａ］である。
【００７２】
天候コスト情報１１００−１を例に挙げると、品目「ミカン」、品種「××早生」、作型「早生」の対象作物の生育ステージ「生理落果期」における特定の気象条件を表す指標「積算降水量」、指標値「１５０」、単位「ミリ」および条件「未満」が設定されている。また、対象作物に対して施すべき対処策「潅水実施」および天候コスト「２００００［円／１０ａ］」が設定されている。
【００７３】
＜標準反収マスタ１２００の記憶内容＞
つぎに、標準反収マスタ１２００の記憶内容について説明する。標準反収マスタ１２００は、１反（約１０［ａ］）当たりの作物の標準的な売上を予測するための標準反収情報を記憶している。
【００７４】
図１２は、標準反収マスタ１２００の記憶内容の一例を示す説明図である。図１２において、標準反収マスタ１２００は、品目、品種、作型、標準反収および標準単価のフィールドを有する。各フィールドに情報を設定することにより、標準反収情報（例えば、標準反収情報１２００−１〜１２００−４）をレコードとして記憶している。
【００７５】
品目は、作物の品目である。品種は、作物の品種である。作型は、作物の作型である。標準反収は、作物の１反（約１０［ａ］）当たりの標準的な収穫高［ｋｇ］である。標準単価は、作物の１［ｋｇ］当たりの標準的な売上［円］である。
【００７６】
標準反収情報１２００−１を例に挙げると、品目「キャベツ」、品種「寒玉」、作型「春播き夏穫り」の作物の標準反収「５０００［ｋｇ］」および標準単価「４５［円／ｋｇ］」が設定されている。
【００７７】
＜作物生育限界温度マスタ１３００の記憶内容＞
つぎに、作物生育限界温度マスタ１３００の記憶内容について説明する。作物生育限界温度マスタ１３００は、作物の生育に適した温度を表す限界温度情報を記憶している。
【００７８】
図１３は、作物生育限界温度マスタ１３００の記憶内容の一例を示す説明図である。図１３において、作物生育限界温度マスタ１３００は、品目、限界温度下限および限界温度上限のフィールドを有する。各フィールドに情報を設定することにより、限界温度情報（例えば、限界温度情報１３００−１〜１３００−４）をレコードとして記憶している。
【００７９】
品目は、作物の品目である。限界温度下限は、作物の生育に適した温度の下限値を表している。限界温度上限は、作物の生育に適した温度の上限値を表している。限界温度情報１３００−１を例に挙げると、品目「キャベツ」の限界温度下限「５［℃］」および限界温度上限「３０［℃］」が設定されている。
【００８０】
（損益予測装置２００の機能的構成例）
つぎに、実施の形態２にかかる損益予測装置２００の機能的構成例について説明する。図１４は、損益予測装置２００の機能的構成例を示すブロック図である。図１４において、損益予測装置２００は、取得部１４０１と、判定部１４０２と、第１の算出部１４０３と、第２の算出部１４０４と、第３の算出部１４０５と、判断部１４０６と、抽出部１４０７と、出力部１４０８と、を含む構成である。取得部１４０１〜出力部１４０８は制御部となる機能であり、具体的には、例えば、図２に示したＲＯＭ２０２、ＲＡＭ２０３、磁気ディスク２０５、光ディスク２０７などの記憶装置に記憶されたプログラムをＣＰＵ２０１に実行させることにより、または、Ｉ／Ｆ２０９により、その機能を実現する。また、各機能部の処理結果は、例えば、ＲＡＭ２０３、磁気ディスク２０５、光ディスク２０７などの記憶装置に記憶される。
【００８１】
取得部１４０１は、損益予測条件を取得する機能を有する。ここで、損益予測とは、対象作物を栽培することにより発生する損失と、対象作物を栽培することにより得られる利益とを予測することである。また、損益予測条件とは、損益予測対象となる対象作物を指定する条件である。損益予測条件には、例えば、対象圃場および対象作物を特定する情報が含まれている。
【００８２】
具体的には、例えば、取得部１４０１は、図２に示したキーボード２１０やマウス２１１を用いたユーザの操作入力により、損益予測条件を取得する。また、取得部１４０１は、ネットワーク２１４を介して、他のコンピュータから損益予測条件を取得することにしてもよい。なお、損益予測条件の入力画面の具体例については、図１９を用いて後述する。
【００８３】
以下の説明では、対象圃場において栽培される対象作物の複数の生育ステージを「生育ステージＳ１〜Ｓｍ」と表記する場合がある。また、対象作物の生育ステージＳ１〜Ｓｍのうち任意の生育ステージを「生育ステージＳｊ」と表記する場合がある（ｊ＝１，２，…，ｍ）。また、対象作物の栽培期間を「栽培期間Ｔ」と表記する場合がある。また、栽培期間Ｔのうち生育ステージＳｊに対応する期間を「期間Ｔｊ」と表記する場合がある。
【００８４】
また、取得部１４０１は、対象作物の栽培期間Ｔのうち対象作物の生育ステージＳｊに対応する期間Ｔｊにおける予測気象データを取得する機能を有する。ここで、予測気象データとは、期間Ｔｊにおける天気の特性を表す気象要素の予測値を表す情報である。予測気象データは、例えば、天気予報によって予測された期間Ｔｊにおける気象要素の予測値を表すものであってもよい。
【００８５】
予測気象データの取得対象となる生育ステージＳｊは、例えば、生育ステージＳ１〜Ｓｍのうち農作業が現在進行中または予定されている生育ステージであり、後述する予測コストの算出対象となる生育ステージである。なお、予測気象データの具体例については、図１７を用いて後述する。
【００８６】
具体的には、例えば、取得部１４０１は、ユーザの操作入力により、期間Ｔｊにおける予測気象データを取得することにしてもよい。また、取得部１４０１は、例えば、後述する抽出部１４０７により、図８に示した気象データＤＢ８００の中から抽出された気象データを、予測気象データとして取得することにしてもよい。なお、抽出部１４０７の具体的な処理内容については、図１５および図１６を用いて後述する。
【００８７】
判定部１４０２は、天候コスト情報を参照して、取得された予測気象データが表す期間Ｔｊにおける気象要素の予測値が、特定の気象条件を満たすか否かを判定する機能を有する。ここで、天候コスト情報とは、特定の気象条件を表す気象要素の指標値と、特定の気象条件下における生育ステージＳｊの対象作物に対して施すべき対処策にかかる天候コストとを対応付けて表す情報である。
【００８８】
具体的には、例えば、まず、判定部１４０２は、図１１に示した天候コストマスタ１１００を参照して、対象作物の生育ステージＳｊに対応する天候コスト情報を特定する。そして、判定部１４０２は、特定した天候コスト情報を参照して、予測気象データが表す期間Ｔｊにおける気象要素の予測値が、特定の気象条件を満たすか否かを判定する。
【００８９】
以下の説明では、特定の気象条件下における生育ステージＳｊの対象作物に対して施すべき対処策にかかる天候コストを「天候コストＣW（ｊ）」と表記する場合がある。なお、判定部１４０２の具体的な処理内容については、図１７を用いて後述する。
【００９０】
第１の算出部１４０３は、判定された判定結果に基づいて、対象作物の生育ステージＳｊにおける農作業にかかる予測コストを算出する機能を有する。ここで、予測コストの算出対象となる生育ステージＳｊは、例えば、上述したように、生育ステージＳ１〜Ｓｍのうち農作業が現在進行中または予定されている生育ステージである。
【００９１】
すなわち、予測コストの算出対象となる生育ステージＳｊは、期間Ｔｊの期間終了日が未来の生育ステージである。期間Ｔｊの期間開始日および期間終了日は、例えば、図９に示した栽培期間管理テーブル９００から特定することができる。以下の説明では、対象作物の生育ステージＳｊにおける農作業にかかる予測コストを「予測コストＣP（ｊ）」と表記する場合がある。
【００９２】
具体的には、例えば、まず、第１の算出部１４０３は、対象作物の生育ステージＳｊにおける農作業にかかる標準コストを特定する。ここで、標準コストとは、対象作物の生育ステージＳｊにおける農作業にかかる標準的な費用である。標準コストには、例えば、農作業に従事する作業者の人件費や農作業に使用する農機具、農薬、種子などの資材費が含まれている。
【００９３】
より具体的には、例えば、第１の算出部１４０３は、図１０に示した標準コストマスタ１０００を参照して、対象作物の生育ステージＳｊに対応する人件費と資材費とを足し合わせることにより、農作業にかかる標準コストを特定することができる。例えば、品目「キャベツ」、品種「寒玉」、作型「春播き夏穫り」の対象作物の生育ステージ「準備期」における農作業にかかる標準コストは「２２０００［円］」となる。
【００９４】
また、第１の算出部１４０３は、ユーザの操作入力により、対象作物の生育ステージＳｊにおける農作業にかかる標準コストの入力を受け付けることにより、農作業にかかる標準コストを特定することにしてもよい。以下の説明では、対象作物の生育ステージＳｊにおける農作業にかかる標準コストを「標準コストＣL（ｊ）」と表記する場合がある。
【００９５】
そして、第１の算出部１４０３は、天候コストＣW（ｊ）と標準コストＣL（ｊ）とに基づいて、予測コストＣP（ｊ）を算出する。より具体的には、例えば、第１の算出部１４０３は、期間Ｔｊにおける気象要素の予測値が特定の気象条件を満たす場合、該特定の気象条件に対応する天候コスト情報を参照して、特定の気象条件を満たす場合の対応策および天候コストＣW（ｊ）を特定する。そして、第１の算出部１４０３は、天候コストＣW（ｊ）と標準コストＣL（ｊ）とを積算することにより予測コストＣP（ｊ）を算出することにしてもよい。
【００９６】
なお、複数の天候コストが特定された場合は、第１の算出部１４０３は、複数の天候コストを積算することにより天候コストＣW（ｊ）を算出することにしてもよい。また、同一の対処策について複数の天候コストが特定された場合は、第１の算出部１４０３は、複数の天候コストのいずれかの天候コスト、例えば、最大の天候コストを天候コストＣW（ｊ）として算出することにしてもよい。
【００９７】
また、第１の算出部１４０３は、期間Ｔｊにおける気象要素の予測値が特定の気象条件を満たさない場合、標準コストＣL（ｊ）を予測コストＣP（ｊ）として算出することにしてもよい。特定された標準コストＣL（ｊ）、天候コストＣW（ｊ）、および算出された予測コストＣP（ｊ）は、例えば、後述の図１８に示すコスト管理テーブル１８００に記憶される。
【００９８】
第２の算出部１４０４は、対象作物の生育ステージＳｊにおける農作業にかかった実績コストを算出する機能を有する。ここで、実績コストの算出対象となる生育ステージＳｊは、例えば、生育ステージＳ１〜Ｓｍのうち農作業が終了している生育ステージである。すなわち、実績コストの算出対象となる生育ステージＳｊは、期間Ｔｊの期間終了日が過去の生育ステージである。以下の説明では、対象作物の生育ステージＳｊにおける農作業にかかる実績コストを「実績コストＣR（ｊ）」と表記する場合がある。
【００９９】
具体的には、例えば、第２の算出部１４０４は、図３に示した圃場ＤＢ３００に記憶されている作業履歴データに基づいて、対象作物の生育ステージＳｊにおける農作業にかかった実績コストＣR（ｊ）を算出することにしてもよい。より具体的には、例えば、まず、第２の算出部１４０４は、圃場ＤＢ３００の中から、対象圃場において栽培されている対象作物の生育ステージＳｊに対応する作業履歴データを抽出する。
【０１００】
そして、第２の算出部１４０４は、抽出した作業履歴データの作業履歴ごとに、各作業履歴の作業時刻に対応する作業時間を算出する。例えば、作業時刻が「１３：００〜１４：００」の場合、作業時間は「１時間」となる。つぎに、第２の算出部１４０４は、図６に示した作業員マスタ６００を参照して、作業履歴データの作業履歴ごとに、各作業履歴の作業者名に対応する作業員の単価を特定する。
【０１０１】
つぎに、第２の算出部１４０４は、作業履歴データの作業履歴ごとに、算出した作業時間と、特定した作業員の単価とを掛け合わせることにより実績コストを算出する。例えば、ある作業履歴の作業時間が「１時間」、作業員の単価が「２０００円」の場合、この作業履歴に対応する実績コストは「２０００円」となる。そして、第２の算出部１４０４は、作業履歴ごとの実績コストを積算することにより実績コストＣR（ｊ）を算出することにしてもよい。
【０１０２】
また、例えば、第２の算出部１４０４は、圃場ＤＢ３００に記憶されている使用履歴データに基づいて、対象作物の生育ステージＳｊにおける農作業にかかった実績コストＣR（ｊ）を算出することにしてもよい。より具体的には、例えば、まず、第２の算出部１４０４は、圃場ＤＢ３００の中から、対象圃場において栽培されている対象作物の生育ステージＳｊに対応する使用履歴データを抽出する。
【０１０３】
そして、第２の算出部１４０４は、抽出した使用履歴データの使用履歴ごとに、各使用履歴の使用時刻に対応する使用時間を算出する。例えば、使用時刻が「１３：００〜１４：００」の場合、使用時間は「１時間」となる。つぎに、第２の算出部１４０４は、図７に示した資材マスタ７００を参照して、使用履歴データの使用履歴ごとに、各使用履歴の資材名に対応する資材の単価を特定する。
【０１０４】
つぎに、第２の算出部１４０４は、使用履歴データの使用履歴ごとに、算出した使用時間と、特定した資材の単価とを掛け合わせることにより実績コストを算出する。例えば、ある使用履歴の使用時間が「１時間」、資材の単価が「１５００円」の場合、この使用履歴に対応する実績コストは「１５００円」となる。そして、第２の算出部１４０４は、使用履歴ごとの実績コストを積算することにより実績コストＣR（ｊ）を算出することにしてもよい。
【０１０５】
さらに、第２の算出部１４０４は、作業履歴データに基づく実績コストと使用履歴データに基づく実績コストとを加算することにより、実績コストＣR（ｊ）を算出することにしてもよい。算出された対象作物の生育ステージＳｊにおける農作業にかかった実績コストＣR（ｊ）は、例えば、後述の図１８に示すコスト管理テーブル１８００に記憶される。
【０１０６】
第３の算出部１４０５は、対象作物の農作業にかかる総コストを算出する機能を有する。ここで、総コストとは、対象作物の各生育ステージＳｊにおける農作業にかかるコスト、すなわち、予測コストＣP（ｊ）または実績コストＣR（ｊ）を積算したものである。以下の説明では、対象作物の農作業にかかる総コストを「総コストＣ」と表記する場合がある。
【０１０７】
例えば、対象作物の生育ステージＳ１〜Ｓｍの予測コストＣP（１）〜ＣP（ｍ）が算出された場合を想定する。この場合、第３の算出部１４０５は、例えば、予測コストＣP（１）〜ＣP（ｍ）を積算することにより、総コストＣを算出する。
【０１０８】
また、例えば、対象作物の生育ステージＳ１〜Ｓ３の実績コストＣR（１）〜ＣR（３）が算出され、生育ステージＳ４〜Ｓｍの予測コストＣP（４）〜ＣP（ｍ）が算出された場合を想定する。この場合、第３の算出部１４０５は、例えば、実績コストＣR（１）〜ＣR（３）と予測コストＣP（４）〜ＣP（ｍ）とを積算することにより総コストＣを算出する。
【０１０９】
また、例えば、現在の生育ステージＳｊの農作業が現在進行中などの場合に、現在の生育ステージＳｊについて、実績コストＣR（ｊ）および予測コストＣP（ｊ）が算出される場合がある。この場合、第３の算出部１４０５は、例えば、生育ステージＳｊの実績コストＣR（ｊ）または予測コストＣP（ｊ）のいずれか一方を総コストＣに含めないことにしてもよい。
【０１１０】
例えば、対象作物の生育ステージＳ３の農作業が現在進行中のときに、生育ステージＳ１〜Ｓ３の実績コストＣR（１）〜ＣR（３）が算出され、生育ステージＳ３〜Ｓｍの予測コストＣP（３）〜ＣP（ｍ）が算出された場合を想定する。この場合、第３の算出部１４０５は、例えば、実績コストＣR（１）と実績コストＣR（２）と予測コストＣP（３）〜ＣP（ｍ）とを積算することにより総コストＣを算出することにしてもよい。
【０１１１】
これにより、生育ステージＳ１〜Ｓ３の実績コストＣR（１）〜ＣR（３）の中から現在の生育ステージＳ３の実績コストＣR（３）を除外して総コストＣを算出することができ、総コストＣの算出精度の向上を図ることができる。
【０１１２】
また、第３の算出部１４０５は、対象作物の生育ステージＳｊごとに、各生育ステージＳｊまでの農作業にかかる積算コストを算出することにしてもよい。以下の説明では、生育ステージＳｊまでの農作業にかかる積算コストを「積算コストＣ（ｊ）」と表記する場合がある。なお、第３の算出部１４０５の具体的な処理内容については、図１８を用いて後述する。
【０１１３】
判断部１４０６は、算出された総コストＣが、対象圃場に対象作物を栽培することにより得られる予測売上よりも大きいか否かを判断する機能を有する。ここで、予測売上とは、例えば、対象圃場において栽培された対象作物を売ることにより得られる代金の総額である。以下の説明では、対象圃場に対象作物を栽培することにより得られる予測売上を「予測売上ＳＶ」と表記する場合がある。
【０１１４】
予測売上ＳＶは、例えば、図１２に示した標準反収マスタ１２００から特定することができる。具体的には、例えば、判断部１４０６は、標準反収マスタ１２００を参照して、対象作物の品目、品種および作型の組み合わせに対応する標準反収情報を特定する。つぎに、判断部１４０６は、特定した標準反収情報の標準反収と標準単価とを掛け合わせることにより、１反（約１０［ａ］）当たりの対象作物の予測売上ＳＶ［円］を特定することができる。そして、判断部１４０６は、算出された総コストＣが、特定した予測売上ＳＶよりも大きくなるか否かを判断することにしてもよい。
【０１１５】
また、判断部１４０６は、各生育ステージＳｊの積算コストＣ（ｊ）と予測売上ＳＶとを比較することにより、積算コストＣ（ｊ）が予測売上ＳＶよりも大きくなる生育ステージＳｊを特定することにしてもよい。
【０１１６】
出力部１４０８は、算出された対象作物の生育ステージＳｊにおける農作業にかかる予測コストＣP（ｊ）を出力する機能を有する。出力部１４０８の出力形式としては、例えば、ディスプレイ２０８への表示、プリンタ２１３への印刷出力、Ｉ／Ｆ２０９による外部のコンピュータへの送信、ＲＡＭ２０３、磁気ディスク２０５、光ディスク２０７などの記憶装置への書き込みがある。
【０１１７】
これにより、例えば、営農者は、対象圃場において栽培されている対象作物の生育ステージＳｊにおける農作業にかかる予測コストＣP（ｊ）を把握することができる。
【０１１８】
また、出力部１４０８は、算出された対象作物の生育ステージＳｊにおける農作業にかかった実績コストＣR（ｊ）を出力することにしてもよい。これにより、例えば、営農者は、対象作物の生育ステージＳｊにおける農作業にかかった実績コストＣR（ｊ）を把握することができる。
【０１１９】
また、出力部１４０８は、算出された対象作物の農作業にかかる総コストＣを出力することにしてもよい。これにより、例えば、営農者は、対象作物の農作業にかかる総コストＣを把握することができる。
【０１２０】
また、出力部１４０８は、算出された各生育ステージＳｊまでの農作業にかかる積算コストＣ（ｊ）を出力することにしてもよい。これにより、例えば、営農者は、対象作物の生育ステージＳｊごとに、各生育ステージＳｊまでの農作業にかかる積算コストＣ（ｊ）を把握することができる。
【０１２１】
また、出力部１４０８は、総コストＣが予測売上ＳＶよりも大きいか否かの判断結果を出力することにしてもよい。これにより、例えば、営農者は、対象作物の損益を判断することができる。例えば、総コストＣが予測売上ＳＶよりも大きい場合、営農者は、対象作物を栽培しても赤字となることを予測することができる。
【０１２２】
また、出力部１４０８は、積算コストＣ（ｊ）が予測売上ＳＶよりも大きくなる生育ステージＳｊが特定された場合、積算コストＣ（ｊ）が予測売上ＳＶよりも大きくなる生育ステージＳｊを表す情報を出力することにしてもよい。これにより、例えば、営農者は、どの生育ステージＳｊにおいて積算コストＣ（ｊ）が予測売上ＳＶよりも大きくなるかを予測することができる。出力部１４０８の出力結果を表示する画面例については、図２０を用いて後述する。
【０１２３】
なお、上述した説明では、対象作物の生育ステージＳｊにおける農作業にかかった実績コストＣR（ｊ）を算出することにしたが、これに限らない。具体的には、例えば、損益予測装置２００は、ユーザの操作入力により、対象作物の生育ステージＳｊにおける農作業にかかった実績コストＣR（ｊ）を取得することにしてもよい。
【０１２４】
（抽出部１４０７の具体的処理内容）
つぎに、図８に示した気象データＤＢ８００の中から、対象作物の生育ステージＳｊに対応する期間Ｔｊにおける予測気象データとして用いる気象データを抽出する抽出部１４０７の具体的な処理内容の一例について説明する。以下の説明では、対象作物の栽培期間Ｔのうち対象作物の生育ステージＳｊに対応する期間Ｔｊを含む年度を「対象年度」と表記する場合がある。
【０１２５】
ここでは、抽出部１４０７は、対象年度から遡って過去Ｇ年分の気象データの中から、対象年度と天候が類似する年度の、期間Ｔｊと同一期間における気象データを、対象年度の期間Ｔｊにおける予測気象データとして抽出する場合について説明する（Ｇ＝１，２，…）。
【０１２６】
まず、抽出部１４０７は、対象作物の現生育ステージＳnowを特定する。ここで、現生育ステージＳnowとは、対象作物の生育ステージＳ１〜Ｓｍのうち現在農作業中の生育ステージである。具体的には、例えば、抽出部１４０７は、図９に示した栽培期間管理テーブル９００を参照して、期間開始日から期間終了日までの期間中に現在の年月日を含む生育ステージを、現生育ステージＳnowとして特定する。なお、対象作物は、例えば、損益予測条件から特定することができる。
【０１２７】
つぎに、抽出部１４０７は、比較対象期間ｔを設定する。ここで、比較対象期間ｔとは、対象年度の気象データと、対象年度からｇ年前の気象データとを比較する期間である（ｇ＝１，２，…，Ｇ）。比較対象期間ｔは、現在日以前の任意の期間に設定することができる。
【０１２８】
具体的には、例えば、抽出部１４０７は、現在日が現生育ステージＳnowの期間開始日から期間終了日までの期間の途中の場合、現生育ステージＳnowの期間開始日から現在日までの期間を比較対象期間ｔに設定することにしてもよい。また、抽出部１４０７は、現在日が現生育ステージＳnowの期間開始日の場合、現生育ステージＳnowの直前の生育ステージの期間開始日から期間終了日までの期間を比較対象期間ｔに設定することにしてもよい。
【０１２９】
つぎに、抽出部１４０７は、比較対象期間ｔを所定間隔で区切って複数の期間に分割する。ここで、所定間隔は、任意に設定することができ、例えば、１日、１週、１ヶ月などである。以下の説明では、比較対象期間ｔから分割された複数の期間を「分割期間ｔ１〜ｔＫ」と表記する場合がある。また、分割期間ｔ１〜ｔＫのうち任意の分割期間を「分割期間ｔｋ」と表記する場合がある。
【０１３０】
つぎに、抽出部１４０７は、気象データＤＢ８００の中から、対象年度の比較対象期間ｔの気象データを抽出する。そして、抽出部１４０７は、抽出した対象年度の比較対象期間ｔの気象データに基づいて、比較元データを算出する。ここで、比較元データとは、対象年度の比較対象期間ｔにおける天候を特徴付ける情報である。比較元データは、例えば、対象年度の分割期間ｔｋにおける日平均気温ｘ（ｋ）、対象年度の比較対象期間ｔにおける日平均気温の積算値Ｘ、降水量の積算値Ｙ、日照時間の積算値Ｚなどである。
【０１３１】
また、抽出部１４０７は、気象データＤＢ８００の中から、ｇ年前の比較対象期間ｔの気象データを抽出する。そして、抽出部１４０７は、抽出したｇ年前の比較対象期間ｔの気象データに基づいて、比較先データを算出する。ここで、比較先データとは、ｇ年前の比較対象期間ｔにおける天候を特徴付ける情報である。比較先データは、例えば、ｇ年前の分割期間ｔｋにおける日平均気温ｘg（ｋ）、ｇ年前の比較対象期間ｔにおける日平均気温の積算値Ｘg、降水量の積算値Ｙg、日照時間の積算値Ｚgなどである。
【０１３２】
つぎに、抽出部１４０７は、比較元データおよび比較先データに基づいて、対象年度の気象データとｇ年前の気象データとの類似度合いを表す類似度ＲＥ（ｇ）を算出する。具体的には、例えば、抽出部１４０７は、対象年度の分割期間ｔｋごとの日平均気温ｘ（ｋ）と、ｇ年前の分割期間ｔｋごとの日平均気温ｘg（ｋ）とに基づいて、類似度ＲＥ（ｇ）を算出することにしてもよい。
【０１３３】
また、抽出部１４０７は、対象年度の比較対象期間ｔにおける日平均気温の積算値Ｘと、ｇ年前の比較対象期間ｔにおける日平均気温の積算値Ｘgとに基づいて、類似度ＲＥ（ｇ）を算出することにしてもよい。また、抽出部１４０７は、対象年度の比較対象期間ｔにおける降水量の積算値Ｙと、ｇ年前の比較対象期間ｔにおける降水量の積算値Ｙgとに基づいて、類似度ＲＥ（ｇ）を算出することにしてもよい。
【０１３４】
また、抽出部１４０７は、対象年度の比較対象期間ｔにおける日照時間の積算値Ｚと、ｇ年前の比較対象期間ｔにおける日照時間の積算値Ｚgとに基づいて、類似度ＲＥ（ｇ）を算出することにしてもよい。なお、類似度ＲＥ（ｇ）の算出例については、図１５および図１６を用いて後述する。
【０１３５】
つぎに、抽出部１４０７は、算出した類似度ＲＥ（１）〜ＲＥ（Ｇ）に基づいて、対象年度の１年前からＧ年前までの年度の中から、対象年度と天候が類似する類似年度を決定する。具体的には、例えば、抽出部１４０７は、対象年度の１年前からＧ年前までの年度のうち類似度が最大となる年度を類似年度に決定することにしてもよい。
【０１３６】
そして、抽出部１４０７は、気象データＤＢ８００の中から、対象年度の期間Ｔｊと同一期間における類似年度の気象データを、対象年度の期間Ｔｊにおける予測データとして抽出する。これにより、対象年度と天候が類似する年度の、期間Ｔｊと同一期間における気象データを、対象年度の期間Ｔｊにおける予測データとして取得することができる。
【０１３７】
ここで、図１５を用いて、日平均気温ｘ（ｋ）と日平均気温ｘg（ｋ）とに基づく類似度ＲＥ（ｇ）の算出例について説明する。ここでは、対象年度を「２０１０年」とし、ｇ年間の「ｇ」を「ｇ＝１」として、抽出部１４０７の具体的な処理内容を説明する。
【０１３８】
図１５は、日平均気温に基づく類似度の算出例を示す説明図である。図１５において、算出用テーブル１５００には、２０１０年の分割期間ｔ１〜ｔ１０ごとの日平均気温ｘ（１）〜ｘ（１０）が示されている。例えば、日平均気温ｘ（１）は「ｘ（１）＝８」である。また、日平均気温ｘ（２）は「ｘ（２）＝９」である。
【０１３９】
また、算出用テーブル１５００には、２００９年の分割期間ｔ１〜ｔ１０ごとの日平均気温ｘ1（１）〜ｘ1（１０）が示されている。例えば、日平均気温ｘ1（１）は「ｘ（１）＝７」である。また、日平均気温ｘ1（２）は「ｘ1（２）＝１８」である。
【０１４０】
まず、抽出部１４０７は、分割期間ｔｋごとに、日平均気温ｘ（ｋ）から日平均気温ｘ1（ｋ）を減算することにより、日平均気温ｘ（ｋ）と日平均気温ｘ1（ｋ）との差分を算出する。例えば、日平均気温ｘ（１）と日平均気温ｘ1（１）との差分は「１」となる。
【０１４１】
つぎに、抽出部１４０７は、分割期間ｔｋごとに、日平均気温ｘ（ｋ）と日平均気温ｘ1（ｋ）との差分の二乗値を算出する。例えば、日平均気温ｘ（１）と日平均気温ｘ1（１）との差分の二乗値は「１」となる。そして、抽出部１４０７は、算出した分割期間ｔｋごとの二乗値を積算することにより、二乗値の合計値を算出する。ここでは、二乗値の合計値は「２８１」となる。
【０１４２】
つぎに、抽出部１４０７は、算出した二乗値の合計値を、二乗値のデータ数で除算して平方根をとることにより、２０１０年と２００９年との間のＲＭＳ（Ｒｏｏｔ  Ｍｅａｎ  Ｓｑｕａｒｅ）を算出する。二乗値のデータ数は、分割期間ｔ１〜ｔ１０の期間数「１０」である。
【０１４３】
ここで、ＲＭＳとは、対象年度の比較元データとｇ年前の比較先データとの間の数値のばらつきを表すものである。ＲＭＳの値が０に近いほど、対象年度の比較元データとｇ年前の比較先データとの間の数値のばらつきが小さいと判断することができる。以下の説明では、対象年度の比較元データとｇ年前の比較先データとの間のＲＭＳを「ＲＭＳ（ｇ）」と表記する場合がある。ここでは、ＲＭＳ（１）は「ＲＭＳ（１）≒５．３０＝（２８１／１０）1/2」となる。
【０１４４】
このようにして、抽出部１４０７は、対象年度の１年前からＧ年前の各年度についてのＲＭＳ（１）〜ＲＭＳ（Ｇ）を算出する。そして、抽出部１４０７は、算出したＲＭＳ（１）〜ＲＭＳ（Ｇ）に基づいて、対象年度の気象データと各年度の気象データとの類似度合いを表す類似度ＲＥ（１）〜ＲＥ（Ｇ）を算出する。
【０１４５】
具体的には、例えば、抽出部１４０７は、１年前からＧ年前の各年度に、ＲＭＳの値が０に近い順に順位を付与する。そして、抽出部１４０７は、１年前からＧ年前の各年度に付与した順位の逆数を、対象年度の気象データと各年度の気象データとの類似度合いを表す類似度ＲＥ（１）〜ＲＥ（Ｇ）として算出することにしてもよい。
【０１４６】
つぎに、図１６を用いて、日平均気温の積算値Ｘ（ｋ）と日平均気温の積算値Ｘg（ｋ）とに基づく類似度ＲＥ（ｇ）の算出例について説明する。ここでは、対象年度を「２０１０年」とし、ｇ年間の「ｇ」を「ｇ＝１」として、抽出部１４０７の具体的な処理内容を説明する。
【０１４７】
図１６は、日平均気温の積算値に基づく類似度の算出例を示す説明図である。図１６において、算出用テーブル１６００には、２０１０年の分割期間ｔ１〜ｔ１０ごとの日平均気温ｘ（１）〜ｘ（１０）、および日平均気温ｘ（１）〜ｘ（１０）を積算した日平均気温の積算値Ｘ「Ｘ＝１２５」が示されている。また、算出用テーブル１６００には、２００９年の分割期間ｔ１〜ｔ１０ごとの日平均気温ｘ1（１）〜ｘ1（１０）、および日平均気温ｘ1（１）〜ｘ1（１０）を積算した日平均気温の積算値Ｘ1「Ｘ1＝１３２」が示されている。
【０１４８】
なお、ここでは、各分割期間ｔｋの日平均気温ｘ（ｋ）を積算するにあたって、対象作物の限界温度下限である５［℃］以下の日平均気温は除外されている。対象作物の限界温度下限は、例えば、図１３に示した作物生育限界温度マスタ１３００から特定することができる。
【０１４９】
抽出部１４０７は、日平均気温の積算値Ｘから日平均気温の積算値Ｘ1を減算することにより、日平均気温の積算値Ｘと日平均気温の積算値Ｘ1との差分を算出する。ここでは、日平均気温の積算値Ｘと日平均気温の積算値Ｘ1との差分は「−７」となる。
【０１５０】
このようにして、抽出部１４０７は、対象年度の１年前からＧ年前の各年度についての日平均気温の積算値の差分を算出する。そして、抽出部１４０７は、算出した日平均気温の積算値の差分に基づいて、対象年度の気象データと各年度の気象データとの類似度合いを表す類似度ＲＥ（１）〜ＲＥ（Ｇ）を算出する。
【０１５１】
具体的には、例えば、抽出部１４０７は、１年前からＧ年前の各年度に、日平均気温の積算値の差分が０に近い順に順位を付与する。そして、抽出部１４０７は、１年前からＧ年前の各年度に付与した順位の逆数を、対象年度の気象データと各年度の気象データとの類似度合いを表す類似度ＲＥ（１）〜ＲＥ（Ｇ）として算出することにしてもよい。
【０１５２】
なお、例えば、各年度について複数の類似度が算出された場合、抽出部１４０７は、算出された類似度を積算することにより、対象年度の気象データと各年度の気象データとの類似度合いを表す類似度を算出することにしてもよい。
【０１５３】
（予測気象データの具体例）
つぎに、予測気象データの具体例について説明する。図１７は、予測気象データの具体例を示す説明図である。図１７において、予測気象データ１７００は、対象作物の生育ステージＳｊに対応する期間Ｔｊ内の時間帯ごとの気温、降水量および日照時間を示す情報である。
【０１５４】
具体的には、年月日は、気象データの予測対象となる年月日である。時は、気象データの予測対象となる時間帯である。気温は、対象圃場を含む地域の予測気温である。降水量は、対象圃場を含む地域の予測降水量である。日照時間は、対象圃場を含む地域の予測日照時間である。例えば、２０１２年４月１日の０時台を例に挙げると、気温「１０．０［℃］」、降水量「０．３［ｍｍ］」および日照時間「０．０［ｈ］」が示されている。
【０１５５】
（判定部１４０２の具体的な処理内容）
ここで、図１７に示した予測気象データ１７００を例に挙げて、判定部１４０２の具体的な処理内容について説明する。ここでは、対象作物として、品目「ミカン」、品種「××早生」および作型「早生」の作物を例に挙げて説明する。また、対象作物の生育ステージＳ１〜Ｓｍを、「Ｓ１：発芽期」、「Ｓ２：開花期」、「Ｓ３：満開期」、「Ｓ４：生理落果期」、「Ｓ５：果実肥大期」、「Ｓ６：成熟期」、「Ｓ７：収穫期」とする。
【０１５６】
判定部１４０２は、例えば、予測気象データ１７００を参照して、対象作物の生育ステージＳｊに対応する期間Ｔｊにおける日平均気温ｘ（ｊ）を算出する。ここで、生育ステージＳｊは、予測コストＣP（ｊ）の算出対象となる生育ステージである。なお、期間Ｔｊは、例えば、図９に示した栽培期間管理テーブル９００から特定することができる。
【０１５７】
また、判定部１４０２は、例えば、予測気象データ１７００を参照して、対象作物の生育ステージＳｊに対応する期間Ｔｊにおける日平均気温の積算値Ｘ（ｊ）を算出することにしてもよい。この際、判定部１４０２は、図１３に示す作物生育限界温度マスタ１３００を参照して、対象作物の限界温度下限および限界温度上限を特定することにしてもよい。そして、判定部１４０２は、期間Ｔｊにおける日平均気温のうち、対象作物の限界温度下限以下または限界温度上限以上となる日平均気温を除く残余の日平均気温の積算値Ｘ（ｊ）を算出することにしてもよい。
【０１５８】
例えば、対象作物の品目が「ミカン」の場合、判定部１４０２は、期間Ｔｊにおける日平均気温のうち、１０［℃］以下または３０［℃］以上となる日平均気温を除く残余の日平均気温の積算値Ｘ（ｊ）を算出する。これにより、対象作物の生育に寄与しない日の日平均気温を除外して日平均気温の積算値Ｘ（ｊ）を算出することができる。
【０１５９】
また、判定部１４０２は、例えば、予測気象データ１７００を参照して、対象作物の生育ステージＳｊに対応する期間Ｔｊにおける降水量の積算値Ｙ（ｊ）を算出することにしてもよい。また、判定部１４０２は、例えば、予測気象データ１７００を参照して、対象作物の生育ステージＳｊに対応する期間Ｔｊにおける日照時間の積算値Ｚ（ｊ）を算出することにしてもよい。
【０１６０】
ここで、予測コストＣP（ｊ）の算出対象となる生育ステージＳｊを「Ｓ５：果実肥大期」とする。この場合、判定部１４０２は、図１１に示した天候コストマスタ１１００を参照して、対象作物の生育ステージＳ５に対応する天候コスト情報１１００−２，１１００−３を特定する。天候コスト情報１１００−２が表す特定の気象条件は「積算日照時間が２００時間以下」である。天候コスト情報１１００−３が表す特定の気象条件は「積算日平均気温が１０００℃以下」である。
【０１６１】
例えば、期間Ｔ５における日照時間の積算値Ｚ（５）を「Ｚ（５）＝１５０［ｈ］」とする。この場合、判定部１４０２は、天候コスト情報１１００−２を参照して、期間Ｔ５における日照時間の積算値Ｚ（５）が特定の気象条件「積算日照時間が２００時間以下」を満たすと判定する。
【０１６２】
また、例えば、期間Ｔ５における日平均気温の積算値Ｘ（５）を「Ｘ（５）＝９００［℃］」とする。この場合、判定部１４０２は、天候コスト情報１１００−３を参照して、期間Ｔ５における日平均気温の積算値Ｘ（５）が特定の気象条件「積算日平均気温が１０００℃以下」を満たすと判定する。
【０１６３】
（第３の算出部１４０５の具体的な処理内容）
つぎに、図１８を用いて、対象作物の農作業にかかる総コストＣを算出する第３の算出部１４０５の具体的な処理内容について説明する。ここでは、対象作物として、品目「ミカン」、品種「××早生」および作型「早生」の作物を例に挙げて説明する。また、対象作物の生育ステージＳ１〜Ｓｍを、「Ｓ１：発芽期」、「Ｓ２：開花期」、「Ｓ３：満開期」、「Ｓ４：生理落果期」、「Ｓ５：果実肥大期」、「Ｓ６：成熟期」、「Ｓ７：収穫期」とする。
【０１６４】
図１８は、コスト管理テーブル１８００の記憶内容の一例を示す説明図である。図１８において、コスト管理テーブル１８００は、対象作物の各生育ステージＳｊの実績コストＣR（ｊ）と、標準コストＣL（ｊ）と、天候コストＣW（ｊ）と、予測コストＣP（ｊ）とを記憶している。また、コスト管理テーブル１８００は、天候コストＣW（ｊ）に対応する対処策を記憶している。
【０１６５】
例えば、第３の算出部１４０５は、コスト管理テーブル１８００を参照して、対象作物の生育ステージＳ１〜Ｓ４の実績コストＣR（１）〜ＣR（４）を積算することにより総実績コストＣRを算出する。ここでは、総実績コストＣRは「ＣR＝２５００００［円］」となる。
【０１６６】
また、第３の算出部１４０５は、コスト管理テーブル１８００を参照して、対象作物の生育ステージＳ５〜Ｓ７の予測コストＣP（５）〜ＣP（７）を積算することにより総予測コストＣPを算出する。ここでは、総予測コストＣPは「ＣP＝１８００００［円］」となる。
【０１６７】
そして、第３の算出部１４０５は、算出した総実績コストＣRと総予測コストＣPとを加算することにより、対象作物の農作業にかかる総コストＣを算出する。ここでは、総コストＣは「Ｃ＝４３００００［円］」となる。
【０１６８】
（損益予測条件入力画面）
つぎに、ディスプレイ２０８に表示される損益予測条件入力画面の画面例について説明する。
【０１６９】
図１９は、損益予測条件入力画面の画面例を示す説明図である。図１９において、損益予測条件入力画面１９００は、損益予測対象となる対象作物を指定する損益予測条件を入力する画面である。損益予測条件入力画面１９００において、ボックス１９０１には現在日時が表示されている。
【０１７０】
損益予測条件入力画面１９００において、キーボード２１０やマウス２１１を用いたユーザの操作入力により、カーソルｃｓを移動させてボックス１９０２をクリックすることにより、対象圃場の圃場ＩＤを入力することができる。ここでは、対象圃場の圃場ＩＤ「Ｆ１」がボックス１９０２に入力されている。また、損益予測条件入力画面１９００において、カーソルｃｓを移動させてボックス１９０３をクリックすることにより、対象圃場の圃場名を入力することができる。ここでは、対象圃場の圃場名「圃場Ａ」がボックス１９０３に入力されている。
【０１７１】
また、損益予測条件入力画面１９００において、カーソルｃｓを移動させてボックス１９０４をクリックすることにより、対象作物の品目を入力することができる。ここでは、対象作物の品目「ミカン」がボックス１９０４に入力されている。また、損益予測条件入力画面１９００において、カーソルｃｓを移動させてボックス１９０５をクリックすることにより、対象作物の品種を入力することができる。ここでは、対象作物の品種「××早生」がボックス１９０５に入力されている。また、損益予測条件入力画面１９００において、カーソルｃｓを移動させてボックス１９０６をクリックすることにより、対象作物の作型を入力することができる。ここでは、対象作物の作型「早生」がボックス１９０６に入力されている。
【０１７２】
また、損益予測条件入力画面１９００において、カーソルｃｓを移動させてボックス１９０７をクリックすることにより、予測粒度を指定することができる。予測粒度とは、比較対象期間ｔを区切る所定間隔を表すものである。ここでは、比較対象期間ｔを週単位で区切ることを表す予測粒度「週次」がボックス１９０７に入力されている。
【０１７３】
そして、損益予測条件入力画面１９００において、各ボックス１９０２〜１９０７に各種情報が入力された結果、カーソルｃｓを移動させてボタンＢ１をクリックすると、ボックス１９０８〜１９１０に各種情報が入力される。
【０１７４】
具体的には、ボタンＢ１がクリックされると、損益予測装置２００は、対象作物の栽培期間管理テーブル（例えば、図９参照）を参照して、現生育ステージＳnowを特定して、ボックス１９０８に現生育ステージＳnowを入力する。ここでは、現生育ステージＳnow「果実肥大期」がボックス１９０８に入力されている。
【０１７５】
また、ボタンＢ１がクリックされると、損益予測装置２００は、対象作物の栽培期間管理テーブルを参照して、対象作物の栽培期間Ｔを特定して、ボックス１９０９に栽培期間Ｔの栽培開始日を入力し、ボックス１９１０に栽培期間Ｔの栽培終了日を入力する。ここでは、栽培期間Ｔの栽培開始日「２０１２／１／５」がボックス１９０９に入力され、栽培期間Ｔの栽培終了日「２０１２／１０／１」がボックス１９１０に入力されている。
【０１７６】
そして、損益予測条件入力画面１９００において、各ボックス１９０８〜１９１０に各種情報が入力された結果、カーソルｃｓを移動させてボタンＢ２をクリックすると、損益予測装置２００の損益予測処理が実行される。
【０１７７】
（損益予測画面の画面例）
つぎに、損益予測装置２００の損益予測処理が実行された結果、ディスプレイ２０８に表示される損益予測画面の画面例について説明する。
【０１７８】
図２０は、損益予測画面の画面例を示す説明図である。図２０において、損益予測画面２０００は、対象作物の損益結果を表示する画面である。損益予測画面２０００において、ボックス２００１には対象圃場の圃場ＩＤ「Ｆ１」が表示され、ボックス２００２には対象圃場の圃場名「圃場Ａ」が表示されている。
【０１７９】
また、損益予測画面２０００において、ボックス２００３には対象作物の品目「ミカン」が表示され、ボックス２００４には対象作物の品種「××早生」が表示され、ボックス２００５には対象作物の作型「早生」が表示されている。
【０１８０】
また、損益予測画面２０００において、対象作物の各生育ステージＳｊの期間を表す横軸と、コスト（または利益）を表す縦軸とからなる座標系にグラフ２００６〜２００９が表示されている。ここで、グラフ２００６は、発芽期の期間開始日から生理落果期の期間終了日まで時間の経過とともに変化する総実績コストＣRを表すグラフである。
【０１８１】
グラフ２００７は、果実肥大期の期間開始日から収穫期の期間終了日まで時間の経過とともに変化する総標準コストＣLを表すグラフである。ここでは、総標準コストＣLは、果実肥大期から収穫期までの各期間の標準コストを積算したコストである。
【０１８２】
グラフ２００８は、果実肥大期の期間開始日から収穫期の期間終了日まで時間の経過とともに変化する総予測コストＣPを表すグラフである。グラフ２００９は、対象圃場に対象作物を栽培することにより得られる予測売上ＳＶを表すグラフである。
【０１８３】
また、損益予測画面２０００には、果実肥大期の対象作物に対して施すべき対処策を表すコメント２０１０と、収穫期の対象作物に対して施すべき対処策を表すコメント２０１１とが表示されている。また、損益予測画面２０００には、収穫期に採算ラインをオーバーすることを示すメッセージ２０１２が表示されている。
【０１８４】
損益予測画面２０００によれば、例えば、営農者は、対象作物の損益予測結果を閲覧することができる。具体的には、例えば、損益予測画面２０００によれば、営農者は、果実肥大期の対象作物に対して施すべき対処策『マルチシートを敷く』を把握することができる。また、損益予測画面２０００によれば、営農者は、収穫期の対象作物に対して施すべき対処策『収穫時期を遅らせる』を把握することができる。
【０１８５】
また、損益予測画面２０００によれば、営農者は、対処策『マルチシートを敷く』および『収穫時期を遅らせる』を実施した場合と、該対処策を実施しなかった場合との対象作物の農作業にかかる総コストＣを比較することができる。また、損益予測画面２０００によれば、営農者は、収穫期に採算ラインをオーバーすることを把握することができる。
【０１８６】
なお、損益予測装置２００は、果実肥大期および収穫期の予測気象データが満たす気象条件を表示することにしてもよい。具体的には、例えば、損益予測画面２０００において、ユーザの操作入力により、コメント２０１１をクリックすると、『積算降水量が１５０ミリ以上』という気象条件を表すコメントを表示することにしてもよい。これにより、営農者は、どのような気象条件により対処策『収穫時期を遅らせる』を行うことになったのかを把握することができる。
【０１８７】
（損益予測装置２００の損益予測処理手順）
つぎに、損益予測装置２００の損益予測処理手順について説明する。
【０１８８】
図２１は、損益予測装置２００の損益予測処理手順の一例を示すフローチャートである。図２１のフローチャートにおいて、まず、損益予測装置２００は、損益予測条件を取得したか否かを判断する（ステップＳ２１０１）。ここで、損益予測装置２００は、損益予測条件を取得するのを待つ（ステップＳ２１０１：Ｎｏ）。
【０１８９】
そして、損益予測装置２００は、損益予測条件を取得した場合（ステップＳ２１０１：Ｙｅｓ）、対象作物の生育ステージＳｊにおける農作業にかかる実績コストＣR（ｊ）を算出する実績コスト算出処理を実行する（ステップＳ２１０２）。
【０１９０】
つぎに、損益予測装置２００は、気象データＤＢ８００の中から対象年度の予測気象データを取得する予測気象データ取得処理を実行する（ステップＳ２１０３）。そして、損益予測装置２００は、対象作物の生育ステージＳｊにおける農作業にかかる予測コストＣP（ｊ）を算出する予測コスト算出処理を実行する（ステップＳ２１０４）。
【０１９１】
つぎに、損益予測装置２００は、対象圃場において栽培される対象作物の損益を予測する損益予測処理を実行する（ステップＳ２１０５）。そして、損益予測装置２００は、対象作物の損益予測結果を表示する損益予測画面を出力して（ステップＳ２１０６）、本フローチャートによる一連の処理を終了する。
【０１９２】
これにより、対象圃場において栽培される対象作物の損益予測結果を表示する損益予測画面を出力することができる。
【０１９３】
＜実績コスト算出処理手順＞
つぎに、図２１に示したステップＳ２１０２の実績コスト算出処理の具体的な処理手順について説明する。
【０１９４】
図２２および図２３は、実績コスト算出処理の具体的処理手順の一例を示すフローチャートである。図２２のフローチャートにおいて、まず、損益予測装置２００は、生育ステージＳｊの「ｊ」を「ｊ＝１」とし（ステップＳ２２０１）、生育ステージＳｊの実績コストＣR（ｊ）を「ＣR（ｊ）＝０」とする（ステップＳ２２０２）。
【０１９５】
つぎに、損益予測装置２００は、圃場ＤＢ３００の中から、対象圃場において栽培されている対象作物の生育ステージＳｊに対応する作業履歴データを抽出する（ステップＳ２２０３）。そして、損益予測装置２００は、作業履歴データを抽出したか否かを判断する（ステップＳ２２０４）。
【０１９６】
ここで、損益予測装置２００は、作業履歴データを抽出しなかった場合（ステップＳ２２０４：Ｎｏ）、図２３に示すステップＳ２３１１に移行する。一方、損益予測装置２００は、作業履歴データを抽出した場合（ステップＳ２２０４：Ｙｅｓ）、抽出した作業履歴データの中から作業履歴を抽出する（ステップＳ２２０５）。
【０１９７】
つぎに、損益予測装置２００は、抽出した作業履歴の作業時刻に対応する作業時間を算出し（ステップＳ２２０６）、作業員マスタ６００を参照して、作業履歴の作業者名に対応する作業員の単価を特定する（ステップＳ２２０７）。そして、損益予測装置２００は、算出した作業時間と、特定した作業員の単価とを掛け合わせることにより作業員コストｃWを算出する（ステップＳ２２０８）。
【０１９８】
つぎに、損益予測装置２００は、生育ステージＳｊの実績コストＣR（ｊ）を「ＣR（ｊ）＝ＣR（ｊ）＋ｃW」として（ステップＳ２２０９）、作業履歴データの中から抽出していない未抽出の作業履歴があるか否かを判断する（ステップＳ２２１０）。
【０１９９】
ここで、損益予測装置２００は、未抽出の作業履歴がある場合（ステップＳ２２１０：Ｙｅｓ）、ステップＳ２２０５に戻る。一方、損益予測装置２００は、未抽出の作業履歴がない場合（ステップＳ２２１０：Ｎｏ）、図２３に示すステップＳ２３０１に移行する。
【０２００】
図２３のフローチャートにおいて、まず、損益予測装置２００は、圃場ＤＢ３００の中から、対象圃場において栽培されている対象作物の生育ステージＳｊに対応する使用履歴データを抽出する（ステップＳ２３０１）。そして、損益予測装置２００は、使用履歴データを抽出したか否かを判断する（ステップＳ２３０２）。
【０２０１】
ここで、損益予測装置２００は、使用履歴データを抽出しなかった場合（ステップＳ２３０２：Ｎｏ）、ステップＳ２３０９に移行する。一方、損益予測装置２００は、使用履歴データを抽出した場合（ステップＳ２３０２：Ｙｅｓ）、抽出した使用履歴データの中から使用履歴を抽出する（ステップＳ２３０３）。
【０２０２】
つぎに、損益予測装置２００は、抽出した使用履歴の使用時刻に対応する使用時間を算出し（ステップＳ２３０４）、資材マスタ７００を参照して、使用履歴の資材名に対応する資材の単価を特定する（ステップＳ２３０５）。そして、損益予測装置２００は、算出した使用時間と、特定した資材の単価とを掛け合わせることにより資材コストｃMを算出する（ステップＳ２３０６）。
【０２０３】
つぎに、損益予測装置２００は、生育ステージＳｊの実績コストＣR（ｊ）を「ＣR（ｊ）＝ＣR（ｊ）＋ｃM」として（ステップＳ２３０７）、使用履歴データの中から抽出していない未抽出の使用履歴があるか否かを判断する（ステップＳ２３０８）。
【０２０４】
ここで、損益予測装置２００は、未抽出の使用履歴がある場合（ステップＳ２３０８：Ｙｅｓ）、ステップＳ２３０３に戻る。一方、損益予測装置２００は、未抽出の使用履歴がない場合（ステップＳ２３０８：Ｎｏ）、生育ステージＳｊの「ｊ」をインクリメントする（ステップＳ２３０９）。
【０２０５】
そして、損益予測装置２００は、生育ステージＳｊの「ｊ」が「ｍ」より大きくなったか否かを判断する（ステップＳ２３１０）。ここで、「ｊ」が「ｍ」以下の場合（ステップＳ２３１０：Ｎｏ）、図２２に示したステップＳ２２０２に移行する。
【０２０６】
一方、「ｊ」が「ｍ」より大きくなった場合（ステップＳ２３１０：Ｙｅｓ）、損益予測装置２００は、生育ステージＳｊごとの実績コストＣR（ｊ）を積算することにより、対象作物の総実績コストＣRを算出して（ステップＳ２３１１）、本フローチャートによる一連の処理を終了する。
【０２０７】
これにより、対象作物の生育ステージＳｊにおける農作業にかかった実績コストＣR（ｊ）を算出することができる。
【０２０８】
＜予測気象データ取得処理手順＞
つぎに、図２１に示したステップＳ２１０３の予測気象データ取得処理の具体的な処理手順について説明する。
【０２０９】
図２４は、予測気象データ取得処理の具体的処理手順の一例を示すフローチャートである。図２４のフローチャートにおいて、まず、損益予測装置２００は、対象年度の気象データとｇ年前の気象データとを比較する比較対象期間ｔを設定する（ステップＳ２４０１）。ただし、「ｇ」は「ｇ＝１，２，…，Ｇ」である。
【０２１０】
つぎに、損益予測装置２００は、気象データＤＢ８００の中から、対象年度の比較対象期間ｔの気象データを抽出する（ステップＳ２４０２）。そして、損益予測装置２００は、抽出した対象年度の比較対象期間ｔの気象データに基づいて、比較元データを算出する（ステップＳ２４０３）。
【０２１１】
つぎに、損益予測装置２００は、気象データＤＢ８００の中から、ｇ年前の年度ごとに、ｇ年前の比較対象期間ｔの気象データを抽出する（ステップＳ２４０４）。そして、損益予測装置２００は、ｇ年前の年度ごとに、抽出したｇ年前の比較対象期間ｔの気象データに基づいて、比較先データを算出する（ステップＳ２４０５）。
【０２１２】
つぎに、損益予測装置２００は、ｇ年前の年度ごとに、比較元データおよび比較先データに基づいて、対象年度の気象データとｇ年前の気象データとの類似度合いを表す類似度ＲＥ（ｇ）を算出する（ステップＳ２４０６）。そして、損益予測装置２００は、算出した類似度ＲＥ（１）〜ＲＥ（Ｇ）に基づいて、対象年度と天候が類似する類似年度を決定する（ステップＳ２４０７）。
【０２１３】
そして、損益予測装置２００は、気象データＤＢ８００の中から、対象年度の期間Ｔｊと同一期間における類似年度の気象データを、対象年度の期間Ｔｊにおける予測データとして抽出して（ステップＳ２４０８）、本フローチャートによる一連の処理を終了する。
【０２１４】
これにより、対象作物の栽培期間Ｔのうち対象作物の生育ステージＳｊに対応する期間Ｔｊにおける予測気象データを取得することができる。
【０２１５】
＜予測コスト算出処理手順＞
つぎに、図２１に示したステップＳ２１０４の予測コスト算出処理の具体的な処理手順について説明する。
【０２１６】
図２５および図２６は、予測コスト算出処理の具体的処理手順の一例を示すフローチャートである。図２５のフローチャートにおいて、まず、損益予測装置２００は、作物生育限界温度マスタ１３００を参照して、対象作物の限界温度下限および限界温度上限を特定する（ステップＳ２５０１）。
【０２１７】
つぎに、損益予測装置２００は、対象作物の現生育ステージＳnowを生育ステージＳｊとする（ステップＳ２５０２）。そして、損益予測装置２００は、標準コストマスタ１０００を参照して、対象作物の生育ステージＳｊにおける農作業にかかる標準コストＣL（ｊ）を特定する（ステップＳ２５０３）。
【０２１８】
つぎに、損益予測装置２００は、ステップＳ２１０３において取得した予測気象データの中から、生育ステージＳｊに対応する期間Ｔｊの予測気象データを抽出する（ステップＳ２５０４）。そして、損益予測装置２００は、抽出した予測気象データを参照して、期間Ｔｊにおける日平均気温ｘ（ｊ）を算出する（ステップＳ２５０５）。
【０２１９】
つぎに、損益予測装置２００は、抽出した予測気象データを参照して、期間Ｔｊにおける日平均気温のうち、対象作物の限界温度下限以下または限界温度上限以上となる日平均気温を除く残余の日平均気温の積算値Ｘ（ｊ）を算出する（ステップＳ２５０６）。
【０２２０】
つぎに、損益予測装置２００は、抽出した予測気象データを参照して、期間Ｔｊにおける降水量の積算値Ｙ（ｊ）を算出する（ステップＳ２５０７）。つぎに、損益予測装置２００は、抽出した予測気象データを参照して、期間Ｔｊにおける日照時間の積算値Ｚ（ｊ）を算出して（ステップＳ２５０８）、図２６に示すステップＳ２６０１に移行する。
【０２２１】
図２６のフローチャートにおいて、まず、損益予測装置２００は、天候コストマスタ１１００を参照して、対象作物の生育ステージＳｊに対応する天候コスト情報を特定する（ステップＳ２６０１）。そして、損益予測装置２００は、天候コスト情報を特定したか否かを判断する（ステップＳ２６０２）。
【０２２２】
ここで、損益予測装置２００は、天候コスト情報を特定した場合（ステップＳ２６０２：Ｙｅｓ）、図２５に示したステップＳ２５０５〜ステップＳ２５０８の算出結果に基づいて、特定した天候コスト情報が表す気象条件を満たすか否かを判定する（ステップＳ２６０３）。
【０２２３】
ここで、気象条件を満たす場合（ステップＳ２６０３：Ｙｅｓ）、損益予測装置２００は、対象作物の生育ステージＳｊと天候コスト情報が表す対処策とを関連付ける（ステップＳ２６０４）。そして、損益予測装置２００は、特定した天候コスト情報を参照して、対処策にかかる天候コストＣW（ｊ）を算出する（ステップＳ２６０５）。
【０２２４】
つぎに、損益予測装置２００は、天候コストＣW（ｊ）と標準コストＣL（ｊ）とを積算することにより、対象作物の生育ステージＳｊの予測コストＣP（ｊ）を算出する（ステップＳ２６０６）。そして、損益予測装置２００は、生育ステージＳｊの「ｊ」をインクリメントして（ステップＳ２６０７）、「ｊ」が「ｍ」より大きくなったか否かを判断する（ステップＳ２６０８）。
【０２２５】
ここで、「ｊ」が「ｍ」以下の場合（ステップＳ２６０８：Ｎｏ）、損益予測装置２００は、図２５に示したステップＳ２５０３に移行する。一方、「ｊ」が「ｍ」より大きくなった場合（ステップＳ２６０８：Ｙｅｓ）、損益予測装置２００は、生育ステージＳｊごとの予測コストＣP（ｊ）を積算することにより、対象作物の総予測コストＣPを算出して（ステップＳ２６０９）、本フローチャートによる一連の処理を終了する。
【０２２６】
また、ステップＳ２６０２において、損益予測装置２００は、天候コスト情報を特定しなかった場合（ステップＳ２６０２：Ｎｏ）、天候コストＣW（ｊ）を「ＣW（ｊ）＝０」として（ステップＳ２６１０）、ステップＳ２６０６に移行する。
【０２２７】
また、ステップＳ２６０３において、損益予測装置２００は、気象条件を満たさない場合（ステップＳ２６０３：Ｎｏ）、天候コストＣW（ｊ）を「ＣW（ｊ）＝０」として（ステップＳ２６１０）、ステップＳ２６０６に移行する。
【０２２８】
これにより、対象作物の生育ステージＳｊにおける農作業にかかる予測コストＣP（ｊ）を算出することができる。
【０２２９】
＜損益予測処理手順＞
つぎに、図２１に示したステップＳ２１０５の損益予測処理の具体的な処理手順について説明する。
【０２３０】
図２７は、損益予測処理の具体的処理手順の一例を示すフローチャートである。図２７のフローチャートにおいて、まず、損益予測装置２００は、標準反収マスタ１２００を参照して、対象作物の予測売上ＳＶを特定する（ステップＳ２７０１）。
【０２３１】
つぎに、損益予測装置２００は、コスト管理テーブル１８００を参照して、生育ステージＳｊごとの実績コストＣR（ｊ）および予測コストＣP（ｊ）を積算することにより、対象作物の総コストＣを算出する（ステップＳ２７０２）。
【０２３２】
そして、損益予測装置２００は、算出した対象作物の総コストＣが、特定した対象作物の予測売上ＳＶよりも大きくなるか否かを判断する（ステップＳ２７０３）。ここで、総コストＣが予測売上ＳＶよりも大きくなる場合（ステップＳ２７０３：Ｙｅｓ）、損益予測装置２００は、コスト管理テーブル１８００を参照して、対象作物の損益が赤字となる生育ステージＳｊを特定する（ステップＳ２７０４）。
【０２３３】
そして、損益予測装置２００は、特定した生育ステージＳｊに採算オーバーになる旨のメッセージを作成する（ステップＳ２７０５）。また、ステップＳ２７０３において、総コストＣが予測売上ＳＶ以下となる場合（ステップＳ２７０３：Ｎｏ）、損益予測装置２００は、対象作物の損益が黒字になる旨のメッセージを作成する（ステップＳ２７０６）。
【０２３４】
つぎに、損益予測装置２００は、コスト管理テーブル１８００を参照して、各種グラフを作成する（ステップＳ２７０７）。各種グラフは、例えば、図２０に示したグラフ２００６〜２００９である。そして、損益予測装置２００は、作成したメッセージと各種グラフとに基づいて、損益予測画面を作成して（ステップＳ２７０８）、本フローチャートによる一連の処理を終了する。損益予測画面は、例えば、図２０に示した損益予測画面２０００である。
【０２３５】
これにより、対象圃場において栽培される対象作物の損益を予測して損益予測結果を表示する損益予測画面を作成することができる。
【０２３６】
以上説明したように、実施の形態２にかかる損益予測装置２００によれば、標準コストマスタ１０００を参照して、対象作物の生育ステージＳｊに対応する標準コストＣL（ｊ）を特定することができる。これにより、対象作物の生育ステージＳｊにおける農作業にかかる標準的な費用を表す標準コストＣL（ｊ）を特定することができる。
【０２３７】
また、損益予測装置２００によれば、天候コストマスタ１１００を参照して、対象作物の生育ステージＳｊに対応する期間Ｔｊにおける予測気象データが、対象作物の生育ステージＳｊに対応する特定の気象条件を満たすか否かを判定することができる。そして、損益予測装置２００によれば、特定の気象条件を満たす場合は、特定の気象条件下における生育ステージＳｊに対応する対処策の天候コストＣW（ｊ）を特定することができる。これにより、特定の気象条件下における生育ステージＳｊの対象作物に対して施すべき対処策にかかる天候コストＣW（ｊ）を特定することができる。
【０２３８】
また、損益予測装置２００によれば、特定した天候コストＣW（ｊ）と標準コストＣL（ｊ）とを積算することにより、対象作物の生育ステージＳｊにおける農作業にかかる予測コストＣP（ｊ）を算出することができる。これにより、例えば、営農者は、特定の天候時に生育ステージＳｊの対象作物に対して施すべき対処策にかかる天候コストＣW（ｊ）が考慮された、対象作物の生育ステージＳｊにおける農作業にかかる予測コストＣP（ｊ）を予測することができる。
【０２３９】
また、損益予測装置２００によれば、特定の気象条件を満たさない場合は、対象作物の生育ステージＳｊにおける農作業にかかる標準コストＣL（ｊ）を、対象作物の生育ステージＳｊにおける農作業にかかる予測コストＣP（ｊ）として算出することができる。
【０２４０】
また、損益予測装置２００によれば、特定の気象条件を満たす場合は、生育ステージＳｊの対象作物に対して施すべき対処策を、予測コストＣP（ｊ）と関連付けて出力することができる。これにより、例えば、営農者は、生育ステージＳｊにおいて対象作物に対して施すべき対処策を判断することができる。
【０２４１】
また、損益予測装置２００によれば、生育ステージＳｊごとの実績コストＣR（ｊ）および予測コストＣP（ｊ）を積算することにより、対象作物の総コストＣを算出することができる。これにより、例えば、営農者は、対象作物の農作業にかかる総コストＣを予測することができる。
【０２４２】
また、損益予測装置２００によれば、総実績コストＣRのうち現生育ステージＳnowの実績コストを除く残余の実績コストと、総予測コストＣPとを積算することにより、対象作物の総コストＣを算出することができる。これにより、総実績コストＣRの中から現生育ステージＳnowの実績コストを除外して、対象作物の総コストＣを算出することができ、総コストＣの算出精度の向上を図ることができる。
【０２４３】
また、損益予測装置２００によれば、対象作物の総コストＣが、対象圃場に対象作物を栽培することにより得られる予測売上ＳＶよりも大きくなるか否かを判断することができる。これにより、例えば、営農者は、対象圃場に対象作物を栽培することによる損益を予測することができる。
【０２４４】
また、損益予測装置２００によれば、対象作物の各生育ステージＳｊの積算コストＣ（ｊ）と予測売上ＳＶとを比較することにより、積算コストＣ（ｊ）が予測売上ＳＶよりも大きくなる生育ステージＳｊを特定することができる。これにより、例えば、営農者は、どの生育ステージＳｊにおいて積算コストＣ（ｊ）が予測売上ＳＶよりも大きくなるかを予測することができる。
【０２４５】
なお、本実施の形態で説明した費用算出方法は、予め用意されたプログラムをパーソナル・コンピュータやワークステーション等のコンピュータで実行することにより実現することができる。本費用算出プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本費用算出プログラムは、インターネット等のネットワークを介して配布してもよい。
【符号の説明】
【０２４６】
１００  費用算出装置
２００  損益予測装置
１４０１  取得部
１４０２  判定部
１４０３  第１の算出部
１４０４  第２の算出部
１４０５  第３の算出部
１４０６  判断部
１４０７  抽出部
１４０８  出力部
【図１】
2013128557.tif 000003
【図２】
2013128557.tif 000004
【図３】
2013128557.tif 000005
【図４】
2013128557.tif 000006
【図５】
2013128557.tif 000007
【図６】
2013128557.tif 000008
【図７】
2013128557.tif 000009
【図８】
2013128557.tif 000010
【図９】
2013128557.tif 000011
【図１０】
2013128557.tif 000012
【図１１】
2013128557.tif 000013
【図１２】
2013128557.tif 000014
【図１３】
2013128557.tif 000015
【図１４】
2013128557.tif 000016
【図１５】
2013128557.tif 000017
【図１６】
2013128557.tif 000018
【図１７】
2013128557.tif 000019
【図１８】
2013128557.tif 000020
【図１９】
2013128557.tif 000021
【図２０】
2013128557.tif 000022
【図２１】
2013128557.tif 000023
【図２２】
2013128557.tif 000024
【図２３】
2013128557.tif 000025
【図２４】
2013128557.tif 000026
【図２５】
2013128557.tif 000027
【図２６】
2013128557.tif 000028
【図２７】
2013128557.tif 000029
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
コンピュータが、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行することを特徴とする費用算出方法。
【請求項２】
前記算出する処理は、
前記予測値が前記気象条件を満たさない場合、前記標準的な費用に基づいて、前記作物の前記生育ステージにおける農作業にかかる予測費用を算出することを特徴とする請求項１に記載の費用算出方法。
【請求項３】
前記出力する処理は、
前記予測値が前記気象条件を満たす場合、前記生育ステージの前記作物に対して施すべき前記対処策を表す情報を前記予測費用と関連付けて出力することを特徴とする請求項１または２に記載の費用算出方法。
【請求項４】
前記記憶部は、前記作物の生育ステージごとに、気象条件を表す前記気象要素の指標値と、前記気象条件下における前記生育ステージの前記作物に対して施すべき対処策にかかる費用とを対応付けて記憶しており、
前記コンピュータが、
前記作物の生育ステージごとに、前記取得する処理、前記判定する処理および前記算出する処理を実行し、
算出した前記生育ステージごとの前記予測費用を積算することにより、前記作物の農作業にかかる総予測費用を算出し、
算出した前記総予測費用を出力する、
処理を実行することを特徴とする請求項１〜３のいずれか一つに記載の費用算出方法。
【請求項５】
前記コンピュータが、
現時点までに前記作物の農作業にかかった費用を取得し、
前記作物の生育ステージのうち前記現時点の生育ステージ以降の生育ステージごとに、前記取得する処理、前記判定する処理および前記算出する処理を実行し、
前記総予測費用を算出する処理は、
取得した前記農作業にかかった費用と、算出した前記生育ステージごとの前記予測費用とを積算することにより、前記作物の農作業にかかる総予測費用を算出することを特徴とする請求項４に記載の費用算出方法。
【請求項６】
前記コンピュータが、
算出した前記総予測費用が、前記圃場に前記作物を栽培することにより得られる予測売上よりも大きくなるか否かを判断し、
判断した判断結果を出力する、
処理を実行することを特徴とする請求項４または５に記載の費用算出方法。
【請求項７】
コンピュータに、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行させることを特徴とする費用算出プログラム。
【請求項８】
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得する取得部と、
気象条件を表す前記気象要素の指標値と、前記気象条件下における前記生育ステージの前記作物に対して施すべき対処策にかかる費用とを対応付けて記憶する記憶部を参照して、前記取得部によって取得された前記予測値が前記気象条件を満たすか否かを判定する判定部と、
前記判定部によって前記予測値が前記気象条件を満たすと判定された場合、前記対処策にかかる費用と前記標準的な費用とに基づいて、前記作物の前記生育ステージにおける農作業にかかる予測費用を算出する算出部と、
前記算出部によって算出された前記予測費用を出力する出力部と、
を有することを特徴とする費用算出装置。
【手続補正２】
【補正対象書類名】明細書
【補正対象項目名】全文
【補正方法】変更
【補正の内容】
【発明の詳細な説明】
【技術分野】
【０００１】
本発明は、費用算出方法、費用算出プログラムおよび費用算出装置に関する。
【背景技術】
【０００２】
圃場において農作物を栽培する場合、栽培途中のある時点までにかかった総費用が、農作物を栽培することにより得られる予測売上よりも多くなると、農作物の栽培を続けるほど赤字が増えることが想定される。このため、営農者は、圃場における農作物の栽培を、収穫を待たずに止めることも対処策の一つとして考えることが必要となる場合がある。
【０００３】
関連する先行技術としては、例えば、リモートセンシングデータから得た作物の光反射率、ＮＤＶＩまたはＧＮＤＶＩから糖量を予測することにより、収穫前に作物の収量を予測するものがある。また、例えば、営農計画を作成するためのデータベース、生産計画作成技術、生産計画と連動した財務計画作成技術を提供する先行技術がある。
【先行技術文献】
【特許文献】
【０００４】
【特許文献１】特開２０１０−１６６８５１号公報
【特許文献２】特開２００３−３０２７８号公報
【発明の概要】
【発明が解決しようとする課題】
【０００５】
しかしながら、従来技術によれば、圃場において栽培される農作物の農作業にかかる費用を予測することが難しいという問題がある。例えば、農作物の生育ステージによっては、農作物の成長に対して天候が与える影響が異なり、農作物に対して施すべき対処策が変化する場合があるため、農作業にかかる費用を予測することが難しい。
【０００６】
一側面では、本発明は、ある生育ステージの作物の特定の天候時における農作業にかかる費用を算出することができる費用算出方法、費用算出プログラムおよび費用算出装置を提供することを目的とする。
【課題を解決するための手段】
【０００７】
本発明の一側面によれば、圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、前記予測値が前記気象条件を満たす場合、前記対処策にかかる費用と前記標準的な費用とに基づいて、前記作物の前記生育ステージにおける農作業にかかる予測費用を算出し、算出した前記予測費用を出力する費用算出方法、費用算出プログラムおよび費用算出装置が提案される。
【発明の効果】
【０００８】
本発明の一態様によれば、ある生育ステージの作物の特定の天候時における農作業にかかる費用を算出することができるという効果を奏する。
【図面の簡単な説明】
【０００９】
【図１】図１は、実施の形態１にかかる費用算出方法の一実施例を示す説明図である。
【図２】図２は、損益予測装置２００のハードウェア構成例を示すブロック図である。
【図３】図３は、圃場ＤＢ３００の記憶内容の一例を示す説明図である。
【図４】図４は、作業履歴データの具体例を示す説明図である。
【図５】図５は、使用履歴データの具体例を示す説明図である。
【図６】図６は、作業員マスタ６００の記憶内容の一例を示す説明図である。
【図７】図７は、資材マスタ７００の記憶内容の一例を示す説明図である。
【図８】図８は、気象データＤＢ８００の記憶内容の一例を示す説明図である。
【図９】図９は、栽培期間管理テーブル９００の記憶内容の一例を示す説明図である。
【図１０】図１０は、標準コストマスタ１０００の記憶内容の一例を示す説明図である。
【図１１】図１１は、天候コストマスタ１１００の記憶内容の一例を示す説明図である。
【図１２】図１２は、標準反収マスタ１２００の記憶内容の一例を示す説明図である。
【図１３】図１３は、作物生育限界温度マスタ１３００の記憶内容の一例を示す説明図である。
【図１４】図１４は、損益予測装置２００の機能的構成例を示すブロック図である。
【図１５】図１５は、日平均気温に基づく類似度の算出例を示す説明図である。
【図１６】図１６は、日平均気温の積算値に基づく類似度の算出例を示す説明図である。
【図１７】図１７は、予測気象データの具体例を示す説明図である。
【図１８】図１８は、コスト管理テーブル１８００の記憶内容の一例を示す説明図である。
【図１９】図１９は、損益予測条件入力画面の画面例を示す説明図である。
【図２０】図２０は、損益予測画面の画面例を示す説明図である。
【図２１】図２１は、損益予測装置２００の損益予測処理手順の一例を示すフローチャートである。
【図２２】図２２は、実績コスト算出処理の具体的処理手順の一例を示すフローチャート（その１）である。
【図２３】図２３は、実績コスト算出処理の具体的処理手順の一例を示すフローチャート（その２）である。
【図２４】図２４は、予測気象データ取得処理の具体的処理手順の一例を示すフローチャートである。
【図２５】図２５は、予測コスト算出処理の具体的処理手順の一例を示すフローチャート（その１）である。
【図２６】図２６は、予測コスト算出処理の具体的処理手順の一例を示すフローチャート（その２）である。
【図２７】図２７は、損益予測処理の具体的処理手順の一例を示すフローチャートである。
【発明を実施するための形態】
【００１０】
以下に添付図面を参照して、この発明にかかる費用算出方法、費用算出プログラムおよび費用算出装置の実施の形態を詳細に説明する。
【００１１】
（実施の形態１）
図１は、実施の形態１にかかる費用算出方法の一実施例を示す説明図である。図１において、費用算出装置１００は、圃場において栽培される作物の各生育ステージにおける農作業にかかる費用を算出するコンピュータである。
【００１２】
ここで、圃場とは、作物を栽培するための田畑、菜園、果樹園などである。作物とは、例えば、穀類、野菜、果樹などの農作物である。作物は、例えば、品目、品種および作型の組み合わせによって分類することができる。品目とは、作物の種類である。品目としては、例えば、水稲、キャベツ、ニンジン、ミカンなどがある。
【００１３】
品種とは、同一品目の中の種類である。例えば、キャベツの品種として、寒玉キャベツ、春玉キャベツ、グリーンボールキャベツ、紫キャベツなどがある。また、ミカンの品種として、ゆら早生、宮川早生、久能温州、大津４号、青島温州などがある。作型とは、作物の栽培を行うときの条件や技術の組み合わせを示す体系である。作型としては、例えば、直播、田植え、春まき栽培、夏まき栽培、秋まき栽培、冬まき栽培などがある。
【００１４】
生育ステージとは、時間の経過にしたがって成長する作物の成長段階を示すものである。例えば、ミカンの生育ステージとして、発芽期、開花期、満開期、生理落果期、果実肥大期、成熟期、収穫期などがある。また、キャベツの生育ステージとして、播種期、育苗期、移植期、定植期、生育期、収穫期などがある。また、農作業とは、作物を栽培するための作業である。農作業としては、例えば、見回り、播種、耕起、耕耘、施肥、田植え、整地、農薬散布、除草、間引き、追肥、培土、収穫などがある。
【００１５】
また、費用算出装置１００は、記憶部１１０にアクセス可能である。記憶部１１０は、作物の生育ステージごとに、気象条件を表す気象要素の指標値と、該気象条件下における該生育ステージの作物に対して施すべき対処策にかかる費用とを対応付けて記憶する記憶装置である。
【００１６】
ここで、気象条件とは、大気の状態を表す条件である。気象条件は、気象要素を用いて定義することができる。気象要素とは、天気の特性を表す要素である。気象要素は、例えば、気温、降水量、日照時間、湿度、気圧、風速などである。対処策とは、天候の影響が栽培途中の作物の成長に与える弊害を回避するために行われるものである。
【００１７】
作物の成長に与える天候の影響は、作物の生育ステージによって異なる場合がある。例えば、降水量が所定量以上という気象条件を想定する。この場合、作物の種を播いたばかりの時期は、雨によって種が流れやすいため、種の流出を防ぐ対処策を施す費用が発生する。これに対して、作物の根が活着した後の時期であれば、成長には水分が必要なため、対処策を施す必要がなく費用が発生しない。
【００１８】
このように、同一の気象条件下であっても、作物の生育ステージによっては、作物に対して施すべき対処策が異なり、農作業にかかる費用が異なる場合がある。別の言い方をすれば、同一の気象条件下であっても、作物の生育ステージによっては、気象条件が作物の生育にとって良い影響を与える場合もあるし、悪い影響を与える場合も有る。そこで、本実施の形態では、費用算出装置１００は、特定の天候となるある生育ステージの作物の農作業にかかる費用を、該生育ステージの作物の農作業にかかる標準的な費用に、特定の天候時に該生育ステージの作物に施すべき対処策の費用を加味して求める。
【００１９】
以下、費用算出装置１００の費用算出処理手順例について説明する。以下の説明では、農作業にかかる費用の算出対象となる作物を「対象作物」と表記する場合がある。また、農作業にかかる費用の算出対象となる生育ステージを「対象生育ステージ」と表記する場合がある。また、対象作物の栽培期間のうち対象生育ステージに対応する期間を「対象期間」と表記する場合がある。
【００２０】
（１）費用算出装置１００は、対象圃場において栽培される対象作物の栽培期間のうち対象作物の対象生育ステージに対応する対象期間における気象要素の予測値を取得する。ここで、気象要素の予測値とは、例えば、対象圃場を含む地域の対象期間における気温、降水量、日照時間、湿度、気圧、風速などを予測した値である。図１の例では、対象期間における気象要素の予測値として、対象期間における積算降水量の予測値『１５０［ｍｍ］』が取得されている。
【００２１】
具体的には、例えば、費用算出装置１００は、ユーザの操作入力により、または、データベースからの抽出により、対象期間における気象要素の予測値を取得する。また、費用算出装置１００は、外部のコンピュータから対象期間における気象要素の予測値を取得することにしてもよい。
【００２２】
（２）費用算出装置１００は、対象生育ステージにおける対象作物の農作業にかかる標準的な費用を取得する。ここで、標準的な費用とは、例えば、対象作物の対象生育ステージにおける農作業にかかった単位面積当たりの費用の平均値である。図１の例では、対象作物『ミカン』の対象生育ステージ『成熟期』における農作業にかかった標準的な費用として、１０［ａ（アール）］当たりの標準的な費用『１０００００［円］』が取得されている。なお、１［ａ］は１００平方メートルである。
【００２３】
具体的には、例えば、費用算出装置１００は、ユーザの操作入力により、または、データベースからの抽出により、対象作物の対象生育ステージにおける農作業にかかった標準的な費用を取得する。また、費用算出装置１００は、外部のコンピュータから対象作物の対象生育ステージにおける農作業にかかった標準的な費用を取得することにしてもよい。
【００２４】
（３）費用算出装置１００は、取得した対象期間における気象要素の予測値が、対象作物の対象生育ステージと対応付けて記憶部１１０に記憶されている気象条件を満たすか否かを判定する。図１の例では、対象期間における気象要素の予測値は、対象期間における積算降水量の予測値『１５０［ｍｍ］』である。
【００２５】
また、対象作物の対象生育ステージに対応する気象条件は、作物『ミカン』の生育ステージ『成熟期』と対応付けて記憶部１１０に記憶されている気象条件『積算降水量が１００［ｍｍ］以上』である。このため、費用算出装置１００は、対象期間における気象要素の予測値が、対象作物の対象生育ステージに対応する気象条件を満たすと判定する。
【００２６】
（４）費用算出装置１００は、対象期間における気象要素の予測値が気象条件を満たす場合、該気象条件下における対象生育ステージの対象作物に対して施すべき対処策にかかる費用と、取得した標準的な費用とに基づいて、農作業にかかる予測費用を算出する。ここで、農作業にかかる予測費用とは、対象作物の対象生育ステージにおける農作業にかかる費用の予測値である。
【００２７】
図１の例では、『積算降水量が１００［ｍｍ］以上』という気象条件下における生育ステージ『成熟期』の作物『ミカン』に対して施すべき対処策は『マルチシートを敷く』である。また、対処策『マルチシートを敷く』にかかる費用は『４００００［円］』である。この費用は、１０［ａ］当たりの対処策『マルチシートを敷く』にかかる費用である。
【００２８】
このため、費用算出装置１００は、例えば、取得した標準的な費用に対処策にかかる費用を加算することにより、対象作物の対象生育ステージにおける農作業にかかる予測費用を算出する。図１の例では、対象作物の対象生育ステージにおける農作業にかかる予測費用は『１４００００［円］』となる。なお、マルチシートとは、ミカンが結実した後に降雨があると実の糖分率が下がるため、雨が土中に染み込まないようにするための対処策である。
【００２９】
このように、実施の形態１にかかる費用算出装置１００によれば、対象期間における気象要素の予測値が特定の気象条件を満たす場合、特定の気象条件下における対象生育ステージの対象作物に対して施すべき対処策にかかる費用を特定することができる。そして、費用算出装置１００によれば、特定した対処策にかかる費用と、対象生育ステージにおける対象作物の農作業にかかる標準的な費用とに基づいて、対象作物の対象生育ステージにおける農作業にかかる予測費用を算出することができる。
【００３０】
これにより、対象作物の成長に与える対象生育ステージ特有の天候の影響を考慮して、対象生育ステージにおける農作業にかかる予測費用を予測することができる。この結果、例えば、営農者は、特定の天候時に対象生育ステージの対象作物に対して施すべき対処策にかかる費用が加味された予測費用を把握することができる。
【００３１】
（実施の形態２）
つぎに、実施の形態１において説明した費用算出装置１００を、対象作物の損益を予測する損益予測装置２００に適用した場合について説明する。なお、実施の形態１において説明した箇所と同様の箇所については説明を省略する。
【００３２】
（損益予測装置２００のハードウェア構成例）
図２は、損益予測装置２００のハードウェア構成例を示すブロック図である。図２において、損益予測装置２００は、ＣＰＵ（Ｃｅｎｔｒａｌ  Ｐｒｏｃｅｓｓｉｎｇ  Ｕｎｉｔ）２０１と、ＲＯＭ（Ｒｅａｄ‐Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、磁気ディスクドライブ２０４と、磁気ディスク２０５と、光ディスクドライブ２０６と、光ディスク２０７と、ディスプレイ２０８と、Ｉ／Ｆ（Ｉｎｔｅｒｆａｃｅ）２０９と、キーボード２１０と、マウス２１１と、スキャナ２１２と、プリンタ２１３と、を有している。また、各構成部はバス２２０によってそれぞれ接続されている。
【００３３】
ここで、ＣＰＵ２０１は、損益予測装置２００の全体の制御を司る。ＲＯＭ２０２は、ブートプログラムなどのプログラムを記憶している。ＲＡＭ２０３は、ＣＰＵ２０１のワークエリアとして使用される。磁気ディスクドライブ２０４は、ＣＰＵ２０１の制御にしたがって磁気ディスク２０５に対するデータのリード／ライトを制御する。磁気ディスク２０５は、磁気ディスクドライブ２０４の制御で書き込まれたデータを記憶する。
【００３４】
光ディスクドライブ２０６は、ＣＰＵ２０１の制御にしたがって光ディスク２０７に対するデータのリード／ライトを制御する。光ディスク２０７は、光ディスクドライブ２０６の制御で書き込まれたデータを記憶したり、光ディスク２０７に記憶されたデータをコンピュータに読み取らせたりする。
【００３５】
ディスプレイ２０８は、カーソル、アイコンあるいはツールボックスをはじめ、文書、画像、機能情報などのデータを表示する。このディスプレイ２０８は、例えば、ＣＲＴ、ＴＦＴ液晶ディスプレイ、プラズマディスプレイなどを採用することができる。
【００３６】
Ｉ／Ｆ２０９は、通信回線を通じて有線または無線のネットワーク２１４に接続され、ネットワーク２１４を介して他のコンピュータに接続される。ネットワーク２１４は、例えば、ＬＡＮ（Ｌｏｃａｌ  Ａｒｅａ  Ｎｅｔｗｏｒｋ）、無線ＬＡＮ、ＷＡＮ（Ｗｉｄｅ  Ａｒｅａ  Ｎｅｔｗｏｒｋ）、インターネットなどである。そして、Ｉ／Ｆ２０９は、ネットワーク２１４と内部のインターフェースを司り、外部のコンピュータからのデータの入出力を制御する。Ｉ／Ｆ２０９には、例えば、モデムやＬＡＮアダプタなどを採用することができる。
【００３７】
キーボード２１０は、文字、数字、各種指示などの入力のためのキーを備え、データの入力を行う。また、タッチパネル式の入力パッドやテンキーなどであってもよい。マウス２１１は、カーソルの移動や範囲選択、あるいはウィンドウの移動やサイズの変更などを行う。
【００３８】
スキャナ２１２は、画像を光学的に読み取り、損益予測装置２００内に画像データを取り込む。また、プリンタ２１３は、画像データや文書データを印刷する。プリンタ２１３には、例えば、レーザプリンタやインクジェットプリンタを採用することができる。なお、費用算出装置１００は、上述した構成部のうち、例えば、光ディスクドライブ２０６、光ディスク２０７、スキャナ２１２およびプリンタ２１３を有さないことにしてもよい。
【００３９】
（各種データベース等の記憶内容）
つぎに、損益予測装置２００が有する各種データベース等の記憶内容について説明する。以下に説明する各種データベース等は、例えば、図２に示したＲＡＭ２０３、磁気ディスク２０５、光ディスク２０７などの記憶装置により実現される。
【００４０】
＜圃場ＤＢ（データベース）３００の記憶内容＞
図３は、圃場ＤＢ３００の記憶内容の一例を示す説明図である。図３において、圃場ＤＢ３００は、圃場ＩＤ、圃場名、品目、品種、作型、生育ステージ、作業履歴データおよび使用履歴データのフィールドを有する。各フィールドに情報を設定することにより、圃場Ｆ１〜Ｆｎの圃場情報３００−１〜３００−ｎがレコードとして記憶されている。
【００４１】
圃場ＩＤは、圃場Ｆ１〜Ｆｎを一意に識別する識別子である。圃場Ｆ１〜Ｆｎは、例えば、農場の経営者が管理している圃場である。以下、圃場Ｆ１〜Ｆｎのうち任意の圃場を「圃場Ｆｉ」と表記する場合がある（ｉ＝１，２，…，ｎ）。
【００４２】
圃場名は、圃場Ｆｉの名称である。品目は、圃場Ｆｉで栽培されている作物の品目である。品種は、圃場Ｆｉで栽培されている作物の品種である。作型は、圃場Ｆｉで栽培されている作物の作型である。生育ステージは、圃場Ｆｉで栽培されている作物の生育ステージである。
【００４３】
作業履歴データは、圃場Ｆｊで行われた農作業の作業履歴を示す情報である。作業履歴データについての詳細な説明は、図４を用いて後述する。使用履歴データは、圃場Ｆｊで使用された資材の使用履歴を示す情報である。資材とは、農作業に使用される農機具、農薬、種子などである。農機具としては、例えば、農業用トラクタ、耕耘機、田植機、コンバイン、農薬散布機などがある。使用履歴データについての詳細な説明は、図５を用いて後述する。
【００４４】
圃場情報３００−１を例に挙げると、圃場Ｆ１の圃場名「圃場Ａ」、品目「キャベツ」、品種「秋冬キャベツ」、作型「秋まき」、生育ステージ「播種期」、作業履歴データＷ１および使用履歴データＭ１が設定されている。なお、圃場ＤＢ３００には、圃場Ｆｉにおける農作業が現在進行中の圃場情報と、圃場Ｆｉにおける農作業が終了している圃場情報とが含まれている。
【００４５】
つぎに、作業履歴データの具体例について説明する。ここでは、図３に示した圃場情報３００−１に設定されている作業履歴データＷ１を例に挙げて説明する。
【００４６】
図４は、作業履歴データの具体例を示す説明図である。図４において、作業履歴データＷ１は、圃場ＩＤ、作業日、作業時刻、作業内容および作業者名のフィールドを有する。各フィールドの情報を設定することにより、作業履歴（例えば、作業履歴４００−１〜４００−５）がレコードとして記憶されている。
【００４７】
圃場ＩＤは、圃場Ｆｊの識別子である。作業日は、圃場Ｆｊにおいて農作業が行われた年月日である。作業時刻は、圃場Ｆｊにおいて農作業が行われた作業時刻である。作業内容は、圃場Ｆｊにおいて行われた農作業の作業内容である。作業者名は、圃場Ｆｊにおいて行われた農作業の作業者の名称である。
【００４８】
作業履歴４００−１を例に挙げると、作業日「２０１１／０１／０８」の作業時刻「１３：３２〜１５：３１」に圃場Ｆ１において行われた農作業の作業内容「耕起」および作業者名「作業者Ａ」が設定されている。なお、作業履歴データは、圃場Ｆｊにおいて新たな農作業が行われると、その都度更新される。
【００４９】
つぎに、使用履歴データの具体例について説明する。ここでは、図３に示した圃場情報３００−１に設定されている使用履歴データＭ１を例に挙げて説明する。
【００５０】
図５は、使用履歴データの具体例を示す説明図である。図５において、使用履歴データＭ１は、圃場ＩＤ、作業日、使用時刻、資材名および作業者名のフィールドを有する。各フィールドに情報を設定することにより、使用履歴（例えば、使用履歴５００−１〜５００−５）がレコードとして記憶されている。
【００５１】
圃場ＩＤは、圃場Ｆｊの識別子である。作業日は、圃場Ｆｊにおいて農作業が行われた年月日である。使用時刻は、資材が使用された時刻である。資材名は、農作業に使用された資材の名称である。作業者名は、圃場Ｆｊにおいて行われた農作業の作業者の名称である。
【００５２】
使用履歴５００−１を例に挙げると、作業日「２０１１／０１／０８」の使用時刻「１３：３２−１５：３１」に圃場Ｆ１において使用された資材の名称「１５馬力（ＡＳＴＥ）」および作業者名「作業者Ａ」が設定されている。なお、使用履歴データは、圃場Ｆｊの農作業において新たな資材が使用されると、その都度更新される。
【００５３】
＜作業員マスタ６００の記憶内容＞
図６は、作業員マスタ６００の記憶内容の一例を示す説明図である。図６において、作業員マスタ６００は、作業者名および単価のフィールドを有する。各フィールドに情報を設定することにより、作業員情報（例えば、作業員情報６００−１〜６００−４）がレコードとして記憶されている。
【００５４】
作業者名は、農業に従事する作業者の名称である。単価は、作業者の１時間当たりの農作業に対して支払われる人件費である。作業員情報６００−１を例に挙げると、作業者名「作業者Ａ」の単価「２０００［円］」が設定されている。
【００５５】
＜資材マスタ７００の記憶内容＞
図７は、資材マスタ７００の記憶内容の一例を示す説明図である。図７において、資材マスタ７００は、資材名および単価のフィールドを有する。各フィールドに情報を設定することにより、資材情報（例えば、資材情報７００−１，７００−２）がレコードとして記憶されている。
【００５６】
資材名は、農作業に使用される資材の名称である。単価は、資材の１時間当たりの使用に対して支払われる資材費である。資材情報７００−１を例に挙げると、資材名「１５馬力」の単価「２０００［円］」が設定されている。
【００５７】
＜気象データＤＢ８００の記憶内容＞
つぎに、気象データＤＢ８００の記憶内容について説明する。気象データＤＢ８００は、対象圃場を含む地域において測定された気象データを記憶するデータベースである。気象データは、気象要素の測定値を示す情報である。
【００５８】
図８は、気象データＤＢ８００の記憶内容の一例を示す説明図である。図８において、気象データＤＢ８００は、年月日、時、気温、降水量および日照時間のフィールドを有する。各フィールドに情報を設定することにより、気象データがレコードとして記憶されている。
【００５９】
年月日は、気象データが測定された年月日である。時は、気象データが測定された時間帯である。気温は、対象圃場を含む地域において測定された気温である。降水量は、対象圃場を含む地域において測定された降水量である。日照時間は、対象圃場を含む地域において測定された日照時間である。なお、対象圃場を含む地域において新たな気象データが測定されると、その都度、測定された気象データが気象データＤＢ８００に記憶される。
【００６０】
＜栽培期間管理テーブル９００の記憶内容＞
つぎに、栽培期間管理テーブル９００の記憶内容について説明する。栽培期間管理テーブル９００は、対象圃場において栽培される対象作物の栽培期間を表す情報である。ここでは、対象作物として、品目「キャベツ」、品種「寒玉」、作型「春播き夏穫り」の作物を例に挙げて説明する。
【００６１】
図９は、栽培期間管理テーブル９００の記憶内容の一例を示す説明図である。図９において、栽培期間管理テーブル９００は、品目、品種、作型、圃場名、生育ステージ、期間開始日および期間終了日のフィールドを有する。各フィールドに情報を設定することにより、対象作物の生育ステージごとの期間管理情報９００−１〜９００−４がレコードとして記憶されている。
【００６２】
品目は、対象作物の品目である。品種は、対象作物の品種である。作型は、対象作物の作型である。圃場名は、対象圃場の名称である。生育ステージは、対象作物の生育ステージである。期間開始日は、対象作物の栽培期間のうち各生育ステージに対応する期間の開始日である。期間終了日は、対象作物の栽培期間のうち各生育ステージに対応する期間の終了日である。
【００６３】
期間管理情報９００−１を例に挙げると、圃場名「圃場Ａ」の対象圃場において栽培される品目「キャベツ」、品種「寒玉」、作型「春播き夏穫り」の対象作物の生育ステージ「準備期」に対応する期間の期間開始日「２０１２／４／１」および期間終了日「２０１２／４／１５」が設定されている。
【００６４】
＜標準コストマスタ１０００の記憶内容＞
つぎに、標準コストマスタ１０００の記憶内容について説明する。標準コストマスタ１０００は、対象作物の各生育ステージにおける農作業にかかる標準的な費用を表す標準コスト情報を記憶している。ここでは、対象作物として、品目「キャベツ」、品種「寒玉」、作型「春播き夏穫り」の作物を例に挙げて説明する。
【００６５】
図１０は、標準コストマスタ１０００の記憶内容の一例を示す説明図である。図１０において、標準コストマスタ１０００は、品目、品種、作型、生育ステージ、人件費および資材費のフィールドを有する。各フィールドに情報を設定することにより、標準コスト情報１０００−１〜１０００−４がレコードとして記憶されている。
【００６６】
品目は、対象作物の品目である。品種は、対象作物の品種である。作型は、対象作物の作型である。生育ステージは、対象作物の生育ステージである。人件費は、対象作物の各生育ステージにおける農作業にかかる標準的な人件費［円］である。資材費は、対象作物の各生育ステージにおける農作業にかかる標準的な資材費［円］である。なお、人件費および資材費は、１０［ａ］当たりのものである。
【００６７】
標準コスト情報１０００−１を例に挙げると、品目「キャベツ」、品種「寒玉」、作型「春播き夏穫り」の対象作物の生育ステージ「準備期」における農作業にかかる標準的な人件費「１５０００［円］」および資材費「７０００［円］」が設定されている。
【００６８】
＜天候コストマスタ１１００の記憶内容＞
つぎに、天候コストマスタ１１００の記憶内容について説明する。天候コストマスタ１１００は、図１に示した記憶部１１０に相当する。天候コストマスタ１１００は、対象作物の生育ステージごとに、ある気象条件下における該生育ステージの対象作物に対して施すべき対処策にかかる費用を表す天候コスト情報を記憶している。ここでは、対象作物として、品目「ミカン」、品種「××早生」、作型「早生」の作物を例に挙げて説明する。
【００６９】
図１１は、天候コストマスタ１１００の記憶内容の一例を示す説明図である。図１１において、天候コストマスタ１１００は、品目、品種、作型、生育ステージ、指標、指標値、単位、条件、対処策および天候コストのフィールドを有する。各フィールドに情報を設定することにより、天候コスト情報１１００−１〜１１００−６がレコードとして記憶されている。
【００７０】
品目は、対象作物の品目である。品種は、対象作物の品種である。作型は、対象作物の作型である。生育ステージは、対象作物の生育ステージである。指標は、対象作物の各生育ステージにおける特定の気象条件を表すための気象要素である。指標値は、特定の気象条件を表すための気象要素の値である。
【００７１】
単位は、特定の気象条件を表すための気象要素の値の単位である。条件は、特定の気象条件を表すための気象要素の条件である。対処策は、各気象条件下における各生育ステージの対象作物に対して施すべき対処策である。天候コストは、対象作物に対して対処策を施すことにより増加する費用［円／１０ａ］である。
【００７２】
天候コスト情報１１００−１を例に挙げると、品目「ミカン」、品種「××早生」、作型「早生」の対象作物の生育ステージ「生理落果期」における特定の気象条件を表す指標「積算降水量」、指標値「１５０」、単位「ミリ」および条件「未満」が設定されている。また、対象作物に対して施すべき対処策「潅水実施」および天候コスト「２００００［円／１０ａ］」が設定されている。
【００７３】
＜標準反収マスタ１２００の記憶内容＞
つぎに、標準反収マスタ１２００の記憶内容について説明する。標準反収マスタ１２００は、１反（約１０［ａ］）当たりの作物の標準的な売上を予測するための標準反収情報を記憶している。
【００７４】
図１２は、標準反収マスタ１２００の記憶内容の一例を示す説明図である。図１２において、標準反収マスタ１２００は、品目、品種、作型、標準反収および標準単価のフィールドを有する。各フィールドに情報を設定することにより、標準反収情報（例えば、標準反収情報１２００−１〜１２００−４）をレコードとして記憶している。
【００７５】
品目は、作物の品目である。品種は、作物の品種である。作型は、作物の作型である。標準反収は、作物の１反（約１０［ａ］）当たりの標準的な収穫高［ｋｇ］である。標準単価は、作物の１［ｋｇ］当たりの標準的な売上［円］である。
【００７６】
標準反収情報１２００−１を例に挙げると、品目「キャベツ」、品種「寒玉」、作型「春播き夏穫り」の作物の標準反収「５０００［ｋｇ］」および標準単価「４５［円／ｋｇ］」が設定されている。
【００７７】
＜作物生育限界温度マスタ１３００の記憶内容＞
つぎに、作物生育限界温度マスタ１３００の記憶内容について説明する。作物生育限界温度マスタ１３００は、作物の生育に適した温度を表す限界温度情報を記憶している。
【００７８】
図１３は、作物生育限界温度マスタ１３００の記憶内容の一例を示す説明図である。図１３において、作物生育限界温度マスタ１３００は、品目、限界温度下限および限界温度上限のフィールドを有する。各フィールドに情報を設定することにより、限界温度情報（例えば、限界温度情報１３００−１〜１３００−４）をレコードとして記憶している。
【００７９】
品目は、作物の品目である。限界温度下限は、作物の生育に適した温度の下限値を表している。限界温度上限は、作物の生育に適した温度の上限値を表している。限界温度情報１３００−１を例に挙げると、品目「キャベツ」の限界温度下限「５［℃］」および限界温度上限「３０［℃］」が設定されている。
【００８０】
（損益予測装置２００の機能的構成例）
つぎに、実施の形態２にかかる損益予測装置２００の機能的構成例について説明する。図１４は、損益予測装置２００の機能的構成例を示すブロック図である。図１４において、損益予測装置２００は、取得部１４０１と、判定部１４０２と、第１の算出部１４０３と、第２の算出部１４０４と、第３の算出部１４０５と、判断部１４０６と、抽出部１４０７と、出力部１４０８と、を含む構成である。取得部１４０１〜出力部１４０８は制御部となる機能であり、具体的には、例えば、図２に示したＲＯＭ２０２、ＲＡＭ２０３、磁気ディスク２０５、光ディスク２０７などの記憶装置に記憶されたプログラムをＣＰＵ２０１に実行させることにより、または、Ｉ／Ｆ２０９により、その機能を実現する。また、各機能部の処理結果は、例えば、ＲＡＭ２０３、磁気ディスク２０５、光ディスク２０７などの記憶装置に記憶される。
【００８１】
取得部１４０１は、損益予測条件を取得する機能を有する。ここで、損益予測とは、対象作物を栽培することにより発生する損失と、対象作物を栽培することにより得られる利益とを予測することである。また、損益予測条件とは、損益予測対象となる対象作物を指定する条件である。損益予測条件には、例えば、対象圃場および対象作物を特定する情報が含まれている。
【００８２】
具体的には、例えば、取得部１４０１は、図２に示したキーボード２１０やマウス２１１を用いたユーザの操作入力により、損益予測条件を取得する。また、取得部１４０１は、ネットワーク２１４を介して、他のコンピュータから損益予測条件を取得することにしてもよい。なお、損益予測条件の入力画面の具体例については、図１９を用いて後述する。
【００８３】
以下の説明では、対象圃場において栽培される対象作物の複数の生育ステージを「生育ステージＳ１〜Ｓｍ」と表記する場合がある。また、対象作物の生育ステージＳ１〜Ｓｍのうち任意の生育ステージを「生育ステージＳｊ」と表記する場合がある（ｊ＝１，２，…，ｍ）。また、対象作物の栽培期間を「栽培期間Ｔ」と表記する場合がある。また、栽培期間Ｔのうち生育ステージＳｊに対応する期間を「期間Ｔｊ」と表記する場合がある。
【００８４】
また、取得部１４０１は、対象作物の栽培期間Ｔのうち対象作物の生育ステージＳｊに対応する期間Ｔｊにおける予測気象データを取得する機能を有する。ここで、予測気象データとは、期間Ｔｊにおける天気の特性を表す気象要素の予測値を表す情報である。予測気象データは、例えば、天気予報によって予測された期間Ｔｊにおける気象要素の予測値を表すものであってもよい。
【００８５】
予測気象データの取得対象となる生育ステージＳｊは、例えば、生育ステージＳ１〜Ｓｍのうち農作業が現在進行中または予定されている生育ステージであり、後述する予測コストの算出対象となる生育ステージである。なお、予測気象データの具体例については、図１７を用いて後述する。
【００８６】
具体的には、例えば、取得部１４０１は、ユーザの操作入力により、期間Ｔｊにおける予測気象データを取得することにしてもよい。また、取得部１４０１は、例えば、後述する抽出部１４０７により、図８に示した気象データＤＢ８００の中から抽出された気象データを、予測気象データとして取得することにしてもよい。なお、抽出部１４０７の具体的な処理内容については、図１５および図１６を用いて後述する。
【００８７】
判定部１４０２は、天候コスト情報を参照して、取得された予測気象データが表す期間Ｔｊにおける気象要素の予測値が、特定の気象条件を満たすか否かを判定する機能を有する。ここで、天候コスト情報とは、特定の気象条件を表す気象要素の指標値と、特定の気象条件下における生育ステージＳｊの対象作物に対して施すべき対処策にかかる天候コストとを対応付けて表す情報である。
【００８８】
具体的には、例えば、まず、判定部１４０２は、図１１に示した天候コストマスタ１１００を参照して、対象作物の生育ステージＳｊに対応する天候コスト情報を特定する。そして、判定部１４０２は、特定した天候コスト情報を参照して、予測気象データが表す期間Ｔｊにおける気象要素の予測値が、特定の気象条件を満たすか否かを判定する。
【００８９】
以下の説明では、特定の気象条件下における生育ステージＳｊの対象作物に対して施すべき対処策にかかる天候コストを「天候コストＣW（ｊ）」と表記する場合がある。なお、判定部１４０２の具体的な処理内容については、図１７を用いて後述する。
【００９０】
第１の算出部１４０３は、判定された判定結果に基づいて、対象作物の生育ステージＳｊにおける農作業にかかる予測コストを算出する機能を有する。ここで、予測コストの算出対象となる生育ステージＳｊは、例えば、上述したように、生育ステージＳ１〜Ｓｍのうち農作業が現在進行中または予定されている生育ステージである。
【００９１】
すなわち、予測コストの算出対象となる生育ステージＳｊは、期間Ｔｊの期間終了日が未来の生育ステージである。期間Ｔｊの期間開始日および期間終了日は、例えば、図９に示した栽培期間管理テーブル９００から特定することができる。以下の説明では、対象作物の生育ステージＳｊにおける農作業にかかる予測コストを「予測コストＣP（ｊ）」と表記する場合がある。
【００９２】
具体的には、例えば、まず、第１の算出部１４０３は、対象作物の生育ステージＳｊにおける農作業にかかる標準コストを特定する。ここで、標準コストとは、対象作物の生育ステージＳｊにおける農作業にかかる標準的な費用である。標準コストには、例えば、農作業に従事する作業者の人件費や農作業に使用する農機具、農薬、種子などの資材費が含まれている。
【００９３】
より具体的には、例えば、第１の算出部１４０３は、図１０に示した標準コストマスタ１０００を参照して、対象作物の生育ステージＳｊに対応する人件費と資材費とを足し合わせることにより、農作業にかかる標準コストを特定することができる。例えば、品目「キャベツ」、品種「寒玉」、作型「春播き夏穫り」の対象作物の生育ステージ「準備期」における農作業にかかる標準コストは「２２０００［円］」となる。
【００９４】
また、第１の算出部１４０３は、ユーザの操作入力により、対象作物の生育ステージＳｊにおける農作業にかかる標準コストの入力を受け付けることにより、農作業にかかる標準コストを特定することにしてもよい。以下の説明では、対象作物の生育ステージＳｊにおける農作業にかかる標準コストを「標準コストＣL（ｊ）」と表記する場合がある。
【００９５】
そして、第１の算出部１４０３は、天候コストＣW（ｊ）と標準コストＣL（ｊ）とに基づいて、予測コストＣP（ｊ）を算出する。より具体的には、例えば、第１の算出部１４０３は、期間Ｔｊにおける気象要素の予測値が特定の気象条件を満たす場合、該特定の気象条件に対応する天候コスト情報を参照して、特定の気象条件を満たす場合の対応策および天候コストＣW（ｊ）を特定する。そして、第１の算出部１４０３は、天候コストＣW（ｊ）と標準コストＣL（ｊ）とを積算することにより予測コストＣP（ｊ）を算出することにしてもよい。
【００９６】
なお、複数の天候コストが特定された場合は、第１の算出部１４０３は、複数の天候コストを積算することにより天候コストＣW（ｊ）を算出することにしてもよい。また、同一の対処策について複数の天候コストが特定された場合は、第１の算出部１４０３は、複数の天候コストのいずれかの天候コスト、例えば、最大の天候コストを天候コストＣW（ｊ）として算出することにしてもよい。
【００９７】
また、第１の算出部１４０３は、期間Ｔｊにおける気象要素の予測値が特定の気象条件を満たさない場合、標準コストＣL（ｊ）を予測コストＣP（ｊ）として算出することにしてもよい。特定された標準コストＣL（ｊ）、天候コストＣW（ｊ）、および算出された予測コストＣP（ｊ）は、例えば、後述の図１８に示すコスト管理テーブル１８００に記憶される。
【００９８】
第２の算出部１４０４は、対象作物の生育ステージＳｊにおける農作業にかかった実績コストを算出する機能を有する。ここで、実績コストの算出対象となる生育ステージＳｊは、例えば、生育ステージＳ１〜Ｓｍのうち農作業が終了している生育ステージである。すなわち、実績コストの算出対象となる生育ステージＳｊは、期間Ｔｊの期間終了日が過去の生育ステージである。以下の説明では、対象作物の生育ステージＳｊにおける農作業にかかる実績コストを「実績コストＣR（ｊ）」と表記する場合がある。
【００９９】
具体的には、例えば、第２の算出部１４０４は、図３に示した圃場ＤＢ３００に記憶されている作業履歴データに基づいて、対象作物の生育ステージＳｊにおける農作業にかかった実績コストＣR（ｊ）を算出することにしてもよい。より具体的には、例えば、まず、第２の算出部１４０４は、圃場ＤＢ３００の中から、対象圃場において栽培されている対象作物の生育ステージＳｊに対応する作業履歴データを抽出する。
【０１００】
そして、第２の算出部１４０４は、抽出した作業履歴データの作業履歴ごとに、各作業履歴の作業時刻に対応する作業時間を算出する。例えば、作業時刻が「１３：００〜１４：００」の場合、作業時間は「１時間」となる。つぎに、第２の算出部１４０４は、図６に示した作業員マスタ６００を参照して、作業履歴データの作業履歴ごとに、各作業履歴の作業者名に対応する作業員の単価を特定する。
【０１０１】
つぎに、第２の算出部１４０４は、作業履歴データの作業履歴ごとに、算出した作業時間と、特定した作業員の単価とを掛け合わせることにより実績コストを算出する。例えば、ある作業履歴の作業時間が「１時間」、作業員の単価が「２０００円」の場合、この作業履歴に対応する実績コストは「２０００円」となる。そして、第２の算出部１４０４は、作業履歴ごとの実績コストを積算することにより実績コストＣR（ｊ）を算出することにしてもよい。
【０１０２】
また、例えば、第２の算出部１４０４は、圃場ＤＢ３００に記憶されている使用履歴データに基づいて、対象作物の生育ステージＳｊにおける農作業にかかった実績コストＣR（ｊ）を算出することにしてもよい。より具体的には、例えば、まず、第２の算出部１４０４は、圃場ＤＢ３００の中から、対象圃場において栽培されている対象作物の生育ステージＳｊに対応する使用履歴データを抽出する。
【０１０３】
そして、第２の算出部１４０４は、抽出した使用履歴データの使用履歴ごとに、各使用履歴の使用時刻に対応する使用時間を算出する。例えば、使用時刻が「１３：００〜１４：００」の場合、使用時間は「１時間」となる。つぎに、第２の算出部１４０４は、図７に示した資材マスタ７００を参照して、使用履歴データの使用履歴ごとに、各使用履歴の資材名に対応する資材の単価を特定する。
【０１０４】
つぎに、第２の算出部１４０４は、使用履歴データの使用履歴ごとに、算出した使用時間と、特定した資材の単価とを掛け合わせることにより実績コストを算出する。例えば、ある使用履歴の使用時間が「１時間」、資材の単価が「１５００円」の場合、この使用履歴に対応する実績コストは「１５００円」となる。そして、第２の算出部１４０４は、使用履歴ごとの実績コストを積算することにより実績コストＣR（ｊ）を算出することにしてもよい。
【０１０５】
さらに、第２の算出部１４０４は、作業履歴データに基づく実績コストと使用履歴データに基づく実績コストとを加算することにより、実績コストＣR（ｊ）を算出することにしてもよい。算出された対象作物の生育ステージＳｊにおける農作業にかかった実績コストＣR（ｊ）は、例えば、後述の図１８に示すコスト管理テーブル１８００に記憶される。
【０１０６】
第３の算出部１４０５は、対象作物の農作業にかかる総コストを算出する機能を有する。ここで、総コストとは、対象作物の各生育ステージＳｊにおける農作業にかかるコスト、すなわち、予測コストＣP（ｊ）または実績コストＣR（ｊ）を積算したものである。以下の説明では、対象作物の農作業にかかる総コストを「総コストＣ」と表記する場合がある。
【０１０７】
例えば、対象作物の生育ステージＳ１〜Ｓｍの予測コストＣP（１）〜ＣP（ｍ）が算出された場合を想定する。この場合、第３の算出部１４０５は、例えば、予測コストＣP（１）〜ＣP（ｍ）を積算することにより、総コストＣを算出する。
【０１０８】
また、例えば、対象作物の生育ステージＳ１〜Ｓ３の実績コストＣR（１）〜ＣR（３）が算出され、生育ステージＳ４〜Ｓｍの予測コストＣP（４）〜ＣP（ｍ）が算出された場合を想定する。この場合、第３の算出部１４０５は、例えば、実績コストＣR（１）〜ＣR（３）と予測コストＣP（４）〜ＣP（ｍ）とを積算することにより総コストＣを算出する。
【０１０９】
また、例えば、現在の生育ステージＳｊの農作業が現在進行中などの場合に、現在の生育ステージＳｊについて、実績コストＣR（ｊ）および予測コストＣP（ｊ）が算出される場合がある。この場合、第３の算出部１４０５は、例えば、生育ステージＳｊの実績コストＣR（ｊ）または予測コストＣP（ｊ）のいずれか一方を総コストＣに含めないことにしてもよい。
【０１１０】
例えば、対象作物の生育ステージＳ３の農作業が現在進行中のときに、生育ステージＳ１〜Ｓ３の実績コストＣR（１）〜ＣR（３）が算出され、生育ステージＳ３〜Ｓｍの予測コストＣP（３）〜ＣP（ｍ）が算出された場合を想定する。この場合、第３の算出部１４０５は、例えば、実績コストＣR（１）と実績コストＣR（２）と予測コストＣP（３）〜ＣP（ｍ）とを積算することにより総コストＣを算出することにしてもよい。
【０１１１】
これにより、生育ステージＳ１〜Ｓ３の実績コストＣR（１）〜ＣR（３）の中から現在の生育ステージＳ３の実績コストＣR（３）を除外して総コストＣを算出することができ、総コストＣの算出精度の向上を図ることができる。
【０１１２】
また、第３の算出部１４０５は、対象作物の生育ステージＳｊごとに、各生育ステージＳｊまでの農作業にかかる積算コストを算出することにしてもよい。以下の説明では、生育ステージＳｊまでの農作業にかかる積算コストを「積算コストＣ（ｊ）」と表記する場合がある。なお、第３の算出部１４０５の具体的な処理内容については、図１８を用いて後述する。
【０１１３】
判断部１４０６は、算出された総コストＣが、対象圃場に対象作物を栽培することにより得られる予測売上よりも大きいか否かを判断する機能を有する。ここで、予測売上とは、例えば、対象圃場において栽培された対象作物を売ることにより得られる代金の総額である。以下の説明では、対象圃場に対象作物を栽培することにより得られる予測売上を「予測売上ＳＶ」と表記する場合がある。
【０１１４】
予測売上ＳＶは、例えば、図１２に示した標準反収マスタ１２００から特定することができる。具体的には、例えば、判断部１４０６は、標準反収マスタ１２００を参照して、対象作物の品目、品種および作型の組み合わせに対応する標準反収情報を特定する。つぎに、判断部１４０６は、特定した標準反収情報の標準反収と標準単価とを掛け合わせることにより、１反（約１０［ａ］）当たりの対象作物の予測売上ＳＶ［円］を特定することができる。そして、判断部１４０６は、算出された総コストＣが、特定した予測売上ＳＶよりも大きくなるか否かを判断することにしてもよい。
【０１１５】
また、判断部１４０６は、各生育ステージＳｊの積算コストＣ（ｊ）と予測売上ＳＶとを比較することにより、積算コストＣ（ｊ）が予測売上ＳＶよりも大きくなる生育ステージＳｊを特定することにしてもよい。
【０１１６】
出力部１４０８は、算出された対象作物の生育ステージＳｊにおける農作業にかかる予測コストＣP（ｊ）を出力する機能を有する。出力部１４０８の出力形式としては、例えば、ディスプレイ２０８への表示、プリンタ２１３への印刷出力、Ｉ／Ｆ２０９による外部のコンピュータへの送信、ＲＡＭ２０３、磁気ディスク２０５、光ディスク２０７などの記憶装置への書き込みがある。
【０１１７】
これにより、例えば、営農者は、対象圃場において栽培されている対象作物の生育ステージＳｊにおける農作業にかかる予測コストＣP（ｊ）を把握することができる。
【０１１８】
また、出力部１４０８は、算出された対象作物の生育ステージＳｊにおける農作業にかかった実績コストＣR（ｊ）を出力することにしてもよい。これにより、例えば、営農者は、対象作物の生育ステージＳｊにおける農作業にかかった実績コストＣR（ｊ）を把握することができる。
【０１１９】
また、出力部１４０８は、算出された対象作物の農作業にかかる総コストＣを出力することにしてもよい。これにより、例えば、営農者は、対象作物の農作業にかかる総コストＣを把握することができる。
【０１２０】
また、出力部１４０８は、算出された各生育ステージＳｊまでの農作業にかかる積算コストＣ（ｊ）を出力することにしてもよい。これにより、例えば、営農者は、対象作物の生育ステージＳｊごとに、各生育ステージＳｊまでの農作業にかかる積算コストＣ（ｊ）を把握することができる。
【０１２１】
また、出力部１４０８は、総コストＣが予測売上ＳＶよりも大きいか否かの判断結果を出力することにしてもよい。これにより、例えば、営農者は、対象作物の損益を判断することができる。例えば、総コストＣが予測売上ＳＶよりも大きい場合、営農者は、対象作物を栽培しても赤字となることを予測することができる。
【０１２２】
また、出力部１４０８は、積算コストＣ（ｊ）が予測売上ＳＶよりも大きくなる生育ステージＳｊが特定された場合、積算コストＣ（ｊ）が予測売上ＳＶよりも大きくなる生育ステージＳｊを表す情報を出力することにしてもよい。これにより、例えば、営農者は、どの生育ステージＳｊにおいて積算コストＣ（ｊ）が予測売上ＳＶよりも大きくなるかを予測することができる。出力部１４０８の出力結果を表示する画面例については、図２０を用いて後述する。
【０１２３】
なお、上述した説明では、対象作物の生育ステージＳｊにおける農作業にかかった実績コストＣR（ｊ）を算出することにしたが、これに限らない。具体的には、例えば、損益予測装置２００は、ユーザの操作入力により、対象作物の生育ステージＳｊにおける農作業にかかった実績コストＣR（ｊ）を取得することにしてもよい。
【０１２４】
（抽出部１４０７の具体的処理内容）
つぎに、図８に示した気象データＤＢ８００の中から、対象作物の生育ステージＳｊに対応する期間Ｔｊにおける予測気象データとして用いる気象データを抽出する抽出部１４０７の具体的な処理内容の一例について説明する。以下の説明では、対象作物の栽培期間Ｔのうち対象作物の生育ステージＳｊに対応する期間Ｔｊを含む年度を「対象年度」と表記する場合がある。
【０１２５】
ここでは、抽出部１４０７は、対象年度から遡って過去Ｇ年分の気象データの中から、対象年度と天候が類似する年度の、期間Ｔｊと同一期間における気象データを、対象年度の期間Ｔｊにおける予測気象データとして抽出する場合について説明する（Ｇ＝１，２，…）。
【０１２６】
まず、抽出部１４０７は、対象作物の現生育ステージＳnowを特定する。ここで、現生育ステージＳnowとは、対象作物の生育ステージＳ１〜Ｓｍのうち現在農作業中の生育ステージである。具体的には、例えば、抽出部１４０７は、図９に示した栽培期間管理テーブル９００を参照して、期間開始日から期間終了日までの期間中に現在の年月日を含む生育ステージを、現生育ステージＳnowとして特定する。なお、対象作物は、例えば、損益予測条件から特定することができる。
【０１２７】
つぎに、抽出部１４０７は、比較対象期間ｔを設定する。ここで、比較対象期間ｔとは、対象年度の気象データと、対象年度からｇ年前の気象データとを比較する期間である（ｇ＝１，２，…，Ｇ）。比較対象期間ｔは、現在日以前の任意の期間に設定することができる。
【０１２８】
具体的には、例えば、抽出部１４０７は、現在日が現生育ステージＳnowの期間開始日から期間終了日までの期間の途中の場合、現生育ステージＳnowの期間開始日から現在日までの期間を比較対象期間ｔに設定することにしてもよい。また、抽出部１４０７は、現在日が現生育ステージＳnowの期間開始日の場合、現生育ステージＳnowの直前の生育ステージの期間開始日から期間終了日までの期間を比較対象期間ｔに設定することにしてもよい。
【０１２９】
つぎに、抽出部１４０７は、比較対象期間ｔを所定間隔で区切って複数の期間に分割する。ここで、所定間隔は、任意に設定することができ、例えば、１日、１週、１ヶ月などである。以下の説明では、比較対象期間ｔから分割された複数の期間を「分割期間ｔ１〜ｔＫ」と表記する場合がある。また、分割期間ｔ１〜ｔＫのうち任意の分割期間を「分割期間ｔｋ」と表記する場合がある。
【０１３０】
つぎに、抽出部１４０７は、気象データＤＢ８００の中から、対象年度の比較対象期間ｔの気象データを抽出する。そして、抽出部１４０７は、抽出した対象年度の比較対象期間ｔの気象データに基づいて、比較元データを算出する。ここで、比較元データとは、対象年度の比較対象期間ｔにおける天候を特徴付ける情報である。比較元データは、例えば、対象年度の分割期間ｔｋにおける日平均気温ｘ（ｋ）、対象年度の比較対象期間ｔにおける日平均気温の積算値Ｘ、降水量の積算値Ｙ、日照時間の積算値Ｚなどである。
【０１３１】
また、抽出部１４０７は、気象データＤＢ８００の中から、ｇ年前の比較対象期間ｔの気象データを抽出する。そして、抽出部１４０７は、抽出したｇ年前の比較対象期間ｔの気象データに基づいて、比較先データを算出する。ここで、比較先データとは、ｇ年前の比較対象期間ｔにおける天候を特徴付ける情報である。比較先データは、例えば、ｇ年前の分割期間ｔｋにおける日平均気温ｘg（ｋ）、ｇ年前の比較対象期間ｔにおける日平均気温の積算値Ｘg、降水量の積算値Ｙg、日照時間の積算値Ｚgなどである。
【０１３２】
つぎに、抽出部１４０７は、比較元データおよび比較先データに基づいて、対象年度の気象データとｇ年前の気象データとの類似度合いを表す類似度ＲＥ（ｇ）を算出する。具体的には、例えば、抽出部１４０７は、対象年度の分割期間ｔｋごとの日平均気温ｘ（ｋ）と、ｇ年前の分割期間ｔｋごとの日平均気温ｘg（ｋ）とに基づいて、類似度ＲＥ（ｇ）を算出することにしてもよい。
【０１３３】
また、抽出部１４０７は、対象年度の比較対象期間ｔにおける日平均気温の積算値Ｘと、ｇ年前の比較対象期間ｔにおける日平均気温の積算値Ｘgとに基づいて、類似度ＲＥ（ｇ）を算出することにしてもよい。また、抽出部１４０７は、対象年度の比較対象期間ｔにおける降水量の積算値Ｙと、ｇ年前の比較対象期間ｔにおける降水量の積算値Ｙgとに基づいて、類似度ＲＥ（ｇ）を算出することにしてもよい。
【０１３４】
また、抽出部１４０７は、対象年度の比較対象期間ｔにおける日照時間の積算値Ｚと、ｇ年前の比較対象期間ｔにおける日照時間の積算値Ｚgとに基づいて、類似度ＲＥ（ｇ）を算出することにしてもよい。なお、類似度ＲＥ（ｇ）の算出例については、図１５および図１６を用いて後述する。
【０１３５】
つぎに、抽出部１４０７は、算出した類似度ＲＥ（１）〜ＲＥ（Ｇ）に基づいて、対象年度の１年前からＧ年前までの年度の中から、対象年度と天候が類似する類似年度を決定する。具体的には、例えば、抽出部１４０７は、対象年度の１年前からＧ年前までの年度のうち類似度が最大となる年度を類似年度に決定することにしてもよい。
【０１３６】
そして、抽出部１４０７は、気象データＤＢ８００の中から、対象年度の期間Ｔｊと同一期間における類似年度の気象データを、対象年度の期間Ｔｊにおける予測データとして抽出する。これにより、対象年度と天候が類似する年度の、期間Ｔｊと同一期間における気象データを、対象年度の期間Ｔｊにおける予測データとして取得することができる。
【０１３７】
ここで、図１５を用いて、日平均気温ｘ（ｋ）と日平均気温ｘg（ｋ）とに基づく類似度ＲＥ（ｇ）の算出例について説明する。ここでは、対象年度を「２０１０年」とし、ｇ年間の「ｇ」を「ｇ＝１」として、抽出部１４０７の具体的な処理内容を説明する。
【０１３８】
図１５は、日平均気温に基づく類似度の算出例を示す説明図である。図１５において、算出用テーブル１５００には、２０１０年の分割期間ｔ１〜ｔ１０ごとの日平均気温ｘ（１）〜ｘ（１０）が示されている。例えば、日平均気温ｘ（１）は「ｘ（１）＝８」である。また、日平均気温ｘ（２）は「ｘ（２）＝９」である。
【０１３９】
また、算出用テーブル１５００には、２００９年の分割期間ｔ１〜ｔ１０ごとの日平均気温ｘ1（１）〜ｘ1（１０）が示されている。例えば、日平均気温ｘ1（１）は「ｘ（１）＝７」である。また、日平均気温ｘ1（２）は「ｘ1（２）＝１８」である。
【０１４０】
まず、抽出部１４０７は、分割期間ｔｋごとに、日平均気温ｘ（ｋ）から日平均気温ｘ1（ｋ）を減算することにより、日平均気温ｘ（ｋ）と日平均気温ｘ1（ｋ）との差分を算出する。例えば、日平均気温ｘ（１）と日平均気温ｘ1（１）との差分は「１」となる。
【０１４１】
つぎに、抽出部１４０７は、分割期間ｔｋごとに、日平均気温ｘ（ｋ）と日平均気温ｘ1（ｋ）との差分の二乗値を算出する。例えば、日平均気温ｘ（１）と日平均気温ｘ1（１）との差分の二乗値は「１」となる。そして、抽出部１４０７は、算出した分割期間ｔｋごとの二乗値を積算することにより、二乗値の合計値を算出する。ここでは、二乗値の合計値は「２８１」となる。
【０１４２】
つぎに、抽出部１４０７は、算出した二乗値の合計値を、二乗値のデータ数で除算して平方根をとることにより、２０１０年と２００９年との間のＲＭＳ（Ｒｏｏｔ  Ｍｅａｎ  Ｓｑｕａｒｅ）を算出する。二乗値のデータ数は、分割期間ｔ１〜ｔ１０の期間数「１０」である。
【０１４３】
ここで、ＲＭＳとは、対象年度の比較元データとｇ年前の比較先データとの間の数値のばらつきを表すものである。ＲＭＳの値が０に近いほど、対象年度の比較元データとｇ年前の比較先データとの間の数値のばらつきが小さいと判断することができる。以下の説明では、対象年度の比較元データとｇ年前の比較先データとの間のＲＭＳを「ＲＭＳ（ｇ）」と表記する場合がある。ここでは、ＲＭＳ（１）は「ＲＭＳ（１）≒５．３０＝（２８１／１０）1/2」となる。
【０１４４】
このようにして、抽出部１４０７は、対象年度の１年前からＧ年前の各年度についてのＲＭＳ（１）〜ＲＭＳ（Ｇ）を算出する。そして、抽出部１４０７は、算出したＲＭＳ（１）〜ＲＭＳ（Ｇ）に基づいて、対象年度の気象データと各年度の気象データとの類似度合いを表す類似度ＲＥ（１）〜ＲＥ（Ｇ）を算出する。
【０１４５】
具体的には、例えば、抽出部１４０７は、１年前からＧ年前の各年度に、ＲＭＳの値が０に近い順に順位を付与する。そして、抽出部１４０７は、１年前からＧ年前の各年度に付与した順位の逆数を、対象年度の気象データと各年度の気象データとの類似度合いを表す類似度ＲＥ（１）〜ＲＥ（Ｇ）として算出することにしてもよい。
【０１４６】
つぎに、図１６を用いて、日平均気温の積算値Ｘ（ｋ）と日平均気温の積算値Ｘg（ｋ）とに基づく類似度ＲＥ（ｇ）の算出例について説明する。ここでは、対象年度を「２０１０年」とし、ｇ年間の「ｇ」を「ｇ＝１」として、抽出部１４０７の具体的な処理内容を説明する。
【０１４７】
図１６は、日平均気温の積算値に基づく類似度の算出例を示す説明図である。図１６において、算出用テーブル１６００には、２０１０年の分割期間ｔ１〜ｔ１０ごとの日平均気温ｘ（１）〜ｘ（１０）、および日平均気温ｘ（１）〜ｘ（１０）を積算した日平均気温の積算値Ｘ「Ｘ＝１２５」が示されている。また、算出用テーブル１６００には、２００９年の分割期間ｔ１〜ｔ１０ごとの日平均気温ｘ1（１）〜ｘ1（１０）、および日平均気温ｘ1（１）〜ｘ1（１０）を積算した日平均気温の積算値Ｘ1「Ｘ1＝１３２」が示されている。
【０１４８】
なお、ここでは、各分割期間ｔｋの日平均気温ｘ（ｋ）を積算するにあたって、対象作物の限界温度下限である５［℃］以下の日平均気温は除外されている。対象作物の限界温度下限は、例えば、図１３に示した作物生育限界温度マスタ１３００から特定することができる。
【０１４９】
抽出部１４０７は、日平均気温の積算値Ｘから日平均気温の積算値Ｘ1を減算することにより、日平均気温の積算値Ｘと日平均気温の積算値Ｘ1との差分を算出する。ここでは、日平均気温の積算値Ｘと日平均気温の積算値Ｘ1との差分は「−７」となる。
【０１５０】
このようにして、抽出部１４０７は、対象年度の１年前からＧ年前の各年度についての日平均気温の積算値の差分を算出する。そして、抽出部１４０７は、算出した日平均気温の積算値の差分に基づいて、対象年度の気象データと各年度の気象データとの類似度合いを表す類似度ＲＥ（１）〜ＲＥ（Ｇ）を算出する。
【０１５１】
具体的には、例えば、抽出部１４０７は、１年前からＧ年前の各年度に、日平均気温の積算値の差分が０に近い順に順位を付与する。そして、抽出部１４０７は、１年前からＧ年前の各年度に付与した順位の逆数を、対象年度の気象データと各年度の気象データとの類似度合いを表す類似度ＲＥ（１）〜ＲＥ（Ｇ）として算出することにしてもよい。
【０１５２】
なお、例えば、各年度について複数の類似度が算出された場合、抽出部１４０７は、算出された類似度を積算することにより、対象年度の気象データと各年度の気象データとの類似度合いを表す類似度を算出することにしてもよい。
【０１５３】
（予測気象データの具体例）
つぎに、予測気象データの具体例について説明する。図１７は、予測気象データの具体例を示す説明図である。図１７において、予測気象データ１７００は、対象作物の生育ステージＳｊに対応する期間Ｔｊ内の時間帯ごとの気温、降水量および日照時間を示す情報である。
【０１５４】
具体的には、年月日は、気象データの予測対象となる年月日である。時は、気象データの予測対象となる時間帯である。気温は、対象圃場を含む地域の予測気温である。降水量は、対象圃場を含む地域の予測降水量である。日照時間は、対象圃場を含む地域の予測日照時間である。例えば、２０１２年４月１日の０時台を例に挙げると、気温「１０．０［℃］」、降水量「０．３［ｍｍ］」および日照時間「０．０［ｈ］」が示されている。
【０１５５】
（判定部１４０２の具体的な処理内容）
ここで、図１７に示した予測気象データ１７００を例に挙げて、判定部１４０２の具体的な処理内容について説明する。ここでは、対象作物として、品目「ミカン」、品種「××早生」および作型「早生」の作物を例に挙げて説明する。また、対象作物の生育ステージＳ１〜Ｓｍを、「Ｓ１：発芽期」、「Ｓ２：開花期」、「Ｓ３：満開期」、「Ｓ４：生理落果期」、「Ｓ５：果実肥大期」、「Ｓ６：成熟期」、「Ｓ７：収穫期」とする。
【０１５６】
判定部１４０２は、例えば、予測気象データ１７００を参照して、対象作物の生育ステージＳｊに対応する期間Ｔｊにおける日平均気温ｘ（ｊ）を算出する。ここで、生育ステージＳｊは、予測コストＣP（ｊ）の算出対象となる生育ステージである。なお、期間Ｔｊは、例えば、図９に示した栽培期間管理テーブル９００から特定することができる。
【０１５７】
また、判定部１４０２は、例えば、予測気象データ１７００を参照して、対象作物の生育ステージＳｊに対応する期間Ｔｊにおける日平均気温の積算値Ｘ（ｊ）を算出することにしてもよい。この際、判定部１４０２は、図１３に示す作物生育限界温度マスタ１３００を参照して、対象作物の限界温度下限および限界温度上限を特定することにしてもよい。そして、判定部１４０２は、期間Ｔｊにおける日平均気温のうち、対象作物の限界温度下限以下または限界温度上限以上となる日平均気温を除く残余の日平均気温の積算値Ｘ（ｊ）を算出することにしてもよい。
【０１５８】
例えば、対象作物の品目が「ミカン」の場合、判定部１４０２は、期間Ｔｊにおける日平均気温のうち、１０［℃］以下または３０［℃］以上となる日平均気温を除く残余の日平均気温の積算値Ｘ（ｊ）を算出する。これにより、対象作物の生育に寄与しない日の日平均気温を除外して日平均気温の積算値Ｘ（ｊ）を算出することができる。
【０１５９】
また、判定部１４０２は、例えば、予測気象データ１７００を参照して、対象作物の生育ステージＳｊに対応する期間Ｔｊにおける降水量の積算値Ｙ（ｊ）を算出することにしてもよい。また、判定部１４０２は、例えば、予測気象データ１７００を参照して、対象作物の生育ステージＳｊに対応する期間Ｔｊにおける日照時間の積算値Ｚ（ｊ）を算出することにしてもよい。
【０１６０】
ここで、予測コストＣP（ｊ）の算出対象となる生育ステージＳｊを「Ｓ５：果実肥大期」とする。この場合、判定部１４０２は、図１１に示した天候コストマスタ１１００を参照して、対象作物の生育ステージＳ５に対応する天候コスト情報１１００−２，１１００−３を特定する。天候コスト情報１１００−２が表す特定の気象条件は「積算日照時間が２００時間以下」である。天候コスト情報１１００−３が表す特定の気象条件は「積算日平均気温が１０００℃以下」である。
【０１６１】
例えば、期間Ｔ５における日照時間の積算値Ｚ（５）を「Ｚ（５）＝１５０［ｈ］」とする。この場合、判定部１４０２は、天候コスト情報１１００−２を参照して、期間Ｔ５における日照時間の積算値Ｚ（５）が特定の気象条件「積算日照時間が２００時間以下」を満たすと判定する。
【０１６２】
また、例えば、期間Ｔ５における日平均気温の積算値Ｘ（５）を「Ｘ（５）＝９００［℃］」とする。この場合、判定部１４０２は、天候コスト情報１１００−３を参照して、期間Ｔ５における日平均気温の積算値Ｘ（５）が特定の気象条件「積算日平均気温が１０００℃以下」を満たすと判定する。
【０１６３】
（第３の算出部１４０５の具体的な処理内容）
つぎに、図１８を用いて、対象作物の農作業にかかる総コストＣを算出する第３の算出部１４０５の具体的な処理内容について説明する。ここでは、対象作物として、品目「ミカン」、品種「××早生」および作型「早生」の作物を例に挙げて説明する。また、対象作物の生育ステージＳ１〜Ｓｍを、「Ｓ１：発芽期」、「Ｓ２：開花期」、「Ｓ３：満開期」、「Ｓ４：生理落果期」、「Ｓ５：果実肥大期」、「Ｓ６：成熟期」、「Ｓ７：収穫期」とする。
【０１６４】
図１８は、コスト管理テーブル１８００の記憶内容の一例を示す説明図である。図１８において、コスト管理テーブル１８００は、対象作物の各生育ステージＳｊの実績コストＣR（ｊ）と、標準コストＣL（ｊ）と、天候コストＣW（ｊ）と、予測コストＣP（ｊ）とを記憶している。また、コスト管理テーブル１８００は、天候コストＣW（ｊ）に対応する対処策を記憶している。
【０１６５】
例えば、第３の算出部１４０５は、コスト管理テーブル１８００を参照して、対象作物の生育ステージＳ１〜Ｓ４の実績コストＣR（１）〜ＣR（４）を積算することにより総実績コストＣRを算出する。ここでは、総実績コストＣRは「ＣR＝２５００００［円］」となる。
【０１６６】
また、第３の算出部１４０５は、コスト管理テーブル１８００を参照して、対象作物の生育ステージＳ５〜Ｓ７の予測コストＣP（５）〜ＣP（７）を積算することにより総予測コストＣPを算出する。ここでは、総予測コストＣPは「ＣP＝１８００００［円］」となる。
【０１６７】
そして、第３の算出部１４０５は、算出した総実績コストＣRと総予測コストＣPとを加算することにより、対象作物の農作業にかかる総コストＣを算出する。ここでは、総コストＣは「Ｃ＝４３００００［円］」となる。
【０１６８】
（損益予測条件入力画面）
つぎに、ディスプレイ２０８に表示される損益予測条件入力画面の画面例について説明する。
【０１６９】
図１９は、損益予測条件入力画面の画面例を示す説明図である。図１９において、損益予測条件入力画面１９００は、損益予測対象となる対象作物を指定する損益予測条件を入力する画面である。損益予測条件入力画面１９００において、ボックス１９０１には現在日時が表示されている。
【０１７０】
損益予測条件入力画面１９００において、キーボード２１０やマウス２１１を用いたユーザの操作入力により、カーソルｃｓを移動させてボックス１９０２をクリックすることにより、対象圃場の圃場ＩＤを入力することができる。ここでは、対象圃場の圃場ＩＤ「Ｆ１」がボックス１９０２に入力されている。また、損益予測条件入力画面１９００において、カーソルｃｓを移動させてボックス１９０３をクリックすることにより、対象圃場の圃場名を入力することができる。ここでは、対象圃場の圃場名「圃場Ａ」がボックス１９０３に入力されている。
【０１７１】
また、損益予測条件入力画面１９００において、カーソルｃｓを移動させてボックス１９０４をクリックすることにより、対象作物の品目を入力することができる。ここでは、対象作物の品目「ミカン」がボックス１９０４に入力されている。また、損益予測条件入力画面１９００において、カーソルｃｓを移動させてボックス１９０５をクリックすることにより、対象作物の品種を入力することができる。ここでは、対象作物の品種「××早生」がボックス１９０５に入力されている。また、損益予測条件入力画面１９００において、カーソルｃｓを移動させてボックス１９０６をクリックすることにより、対象作物の作型を入力することができる。ここでは、対象作物の作型「早生」がボックス１９０６に入力されている。
【０１７２】
また、損益予測条件入力画面１９００において、カーソルｃｓを移動させてボックス１９０７をクリックすることにより、予測粒度を指定することができる。予測粒度とは、比較対象期間ｔを区切る所定間隔を表すものである。ここでは、比較対象期間ｔを週単位で区切ることを表す予測粒度「週次」がボックス１９０７に入力されている。
【０１７３】
そして、損益予測条件入力画面１９００において、各ボックス１９０２〜１９０７に各種情報が入力された結果、カーソルｃｓを移動させてボタンＢ１をクリックすると、ボックス１９０８〜１９１０に各種情報が入力される。
【０１７４】
具体的には、ボタンＢ１がクリックされると、損益予測装置２００は、対象作物の栽培期間管理テーブル（例えば、図９参照）を参照して、現生育ステージＳnowを特定して、ボックス１９０８に現生育ステージＳnowを入力する。ここでは、現生育ステージＳnow「果実肥大期」がボックス１９０８に入力されている。
【０１７５】
また、ボタンＢ１がクリックされると、損益予測装置２００は、対象作物の栽培期間管理テーブルを参照して、対象作物の栽培期間Ｔを特定して、ボックス１９０９に栽培期間Ｔの栽培開始日を入力し、ボックス１９１０に栽培期間Ｔの栽培終了日を入力する。ここでは、栽培期間Ｔの栽培開始日「２０１２／１／５」がボックス１９０９に入力され、栽培期間Ｔの栽培終了日「２０１２／１０／１」がボックス１９１０に入力されている。
【０１７６】
そして、損益予測条件入力画面１９００において、各ボックス１９０８〜１９１０に各種情報が入力された結果、カーソルｃｓを移動させてボタンＢ２をクリックすると、損益予測装置２００の損益予測処理が実行される。
【０１７７】
（損益予測画面の画面例）
つぎに、損益予測装置２００の損益予測処理が実行された結果、ディスプレイ２０８に表示される損益予測画面の画面例について説明する。
【０１７８】
図２０は、損益予測画面の画面例を示す説明図である。図２０において、損益予測画面２０００は、対象作物の損益結果を表示する画面である。損益予測画面２０００において、ボックス２００１には対象圃場の圃場ＩＤ「Ｆ１」が表示され、ボックス２００２には対象圃場の圃場名「圃場Ａ」が表示されている。
【０１７９】
また、損益予測画面２０００において、ボックス２００３には対象作物の品目「ミカン」が表示され、ボックス２００４には対象作物の品種「××早生」が表示され、ボックス２００５には対象作物の作型「早生」が表示されている。
【０１８０】
また、損益予測画面２０００において、対象作物の各生育ステージＳｊの期間を表す横軸と、コスト（または利益）を表す縦軸とからなる座標系にグラフ２００６〜２００９が表示されている。ここで、グラフ２００６は、発芽期の期間開始日から生理落果期の期間終了日まで時間の経過とともに変化する総実績コストＣRを表すグラフである。
【０１８１】
グラフ２００７は、果実肥大期の期間開始日から収穫期の期間終了日まで時間の経過とともに変化する総標準コストＣLを表すグラフである。ここでは、総標準コストＣLは、果実肥大期から収穫期までの各期間の標準コストを積算したコストである。
【０１８２】
グラフ２００８は、果実肥大期の期間開始日から収穫期の期間終了日まで時間の経過とともに変化する総予測コストＣPを表すグラフである。グラフ２００９は、対象圃場に対象作物を栽培することにより得られる予測売上ＳＶを表すグラフである。
【０１８３】
また、損益予測画面２０００には、果実肥大期の対象作物に対して施すべき対処策を表すコメント２０１０と、収穫期の対象作物に対して施すべき対処策を表すコメント２０１１とが表示されている。また、損益予測画面２０００には、収穫期に採算ラインをオーバーすることを示すメッセージ２０１２が表示されている。
【０１８４】
損益予測画面２０００によれば、例えば、営農者は、対象作物の損益予測結果を閲覧することができる。具体的には、例えば、損益予測画面２０００によれば、営農者は、果実肥大期の対象作物に対して施すべき対処策『マルチシートを敷く』を把握することができる。また、損益予測画面２０００によれば、営農者は、収穫期の対象作物に対して施すべき対処策『収穫時期を遅らせる』を把握することができる。
【０１８５】
また、損益予測画面２０００によれば、営農者は、対処策『マルチシートを敷く』および『収穫時期を遅らせる』を実施した場合と、該対処策を実施しなかった場合との対象作物の農作業にかかる総コストＣを比較することができる。また、損益予測画面２０００によれば、営農者は、収穫期に採算ラインをオーバーすることを把握することができる。
【０１８６】
なお、損益予測装置２００は、果実肥大期および収穫期の予測気象データが満たす気象条件を表示することにしてもよい。具体的には、例えば、損益予測画面２０００において、ユーザの操作入力により、コメント２０１１をクリックすると、『積算降水量が１５０ミリ以上』という気象条件を表すコメントを表示することにしてもよい。これにより、営農者は、どのような気象条件により対処策『収穫時期を遅らせる』を行うことになったのかを把握することができる。
【０１８７】
（損益予測装置２００の損益予測処理手順）
つぎに、損益予測装置２００の損益予測処理手順について説明する。
【０１８８】
図２１は、損益予測装置２００の損益予測処理手順の一例を示すフローチャートである。図２１のフローチャートにおいて、まず、損益予測装置２００は、損益予測条件を取得したか否かを判断する（ステップＳ２１０１）。ここで、損益予測装置２００は、損益予測条件を取得するのを待つ（ステップＳ２１０１：Ｎｏ）。
【０１８９】
そして、損益予測装置２００は、損益予測条件を取得した場合（ステップＳ２１０１：Ｙｅｓ）、対象作物の生育ステージＳｊにおける農作業にかかる実績コストＣR（ｊ）を算出する実績コスト算出処理を実行する（ステップＳ２１０２）。
【０１９０】
つぎに、損益予測装置２００は、気象データＤＢ８００の中から対象年度の予測気象データを取得する予測気象データ取得処理を実行する（ステップＳ２１０３）。そして、損益予測装置２００は、対象作物の生育ステージＳｊにおける農作業にかかる予測コストＣP（ｊ）を算出する予測コスト算出処理を実行する（ステップＳ２１０４）。
【０１９１】
つぎに、損益予測装置２００は、対象圃場において栽培される対象作物の損益を予測する損益予測処理を実行する（ステップＳ２１０５）。そして、損益予測装置２００は、対象作物の損益予測結果を表示する損益予測画面を出力して（ステップＳ２１０６）、本フローチャートによる一連の処理を終了する。
【０１９２】
これにより、対象圃場において栽培される対象作物の損益予測結果を表示する損益予測画面を出力することができる。
【０１９３】
＜実績コスト算出処理手順＞
つぎに、図２１に示したステップＳ２１０２の実績コスト算出処理の具体的な処理手順について説明する。
【０１９４】
図２２および図２３は、実績コスト算出処理の具体的処理手順の一例を示すフローチャートである。図２２のフローチャートにおいて、まず、損益予測装置２００は、生育ステージＳｊの「ｊ」を「ｊ＝１」とし（ステップＳ２２０１）、生育ステージＳｊの実績コストＣR（ｊ）を「ＣR（ｊ）＝０」とする（ステップＳ２２０２）。
【０１９５】
つぎに、損益予測装置２００は、圃場ＤＢ３００の中から、対象圃場において栽培されている対象作物の生育ステージＳｊに対応する作業履歴データを抽出する（ステップＳ２２０３）。そして、損益予測装置２００は、作業履歴データを抽出したか否かを判断する（ステップＳ２２０４）。
【０１９６】
ここで、損益予測装置２００は、作業履歴データを抽出しなかった場合（ステップＳ２２０４：Ｎｏ）、図２３に示すステップＳ２３１１に移行する。一方、損益予測装置２００は、作業履歴データを抽出した場合（ステップＳ２２０４：Ｙｅｓ）、抽出した作業履歴データの中から作業履歴を抽出する（ステップＳ２２０５）。
【０１９７】
つぎに、損益予測装置２００は、抽出した作業履歴の作業時刻に対応する作業時間を算出し（ステップＳ２２０６）、作業員マスタ６００を参照して、作業履歴の作業者名に対応する作業員の単価を特定する（ステップＳ２２０７）。そして、損益予測装置２００は、算出した作業時間と、特定した作業員の単価とを掛け合わせることにより作業員コストｃWを算出する（ステップＳ２２０８）。
【０１９８】
つぎに、損益予測装置２００は、生育ステージＳｊの実績コストＣR（ｊ）を「ＣR（ｊ）＝ＣR（ｊ）＋ｃW」として（ステップＳ２２０９）、作業履歴データの中から抽出していない未抽出の作業履歴があるか否かを判断する（ステップＳ２２１０）。
【０１９９】
ここで、損益予測装置２００は、未抽出の作業履歴がある場合（ステップＳ２２１０：Ｙｅｓ）、ステップＳ２２０５に戻る。一方、損益予測装置２００は、未抽出の作業履歴がない場合（ステップＳ２２１０：Ｎｏ）、図２３に示すステップＳ２３０１に移行する。
【０２００】
図２３のフローチャートにおいて、まず、損益予測装置２００は、圃場ＤＢ３００の中から、対象圃場において栽培されている対象作物の生育ステージＳｊに対応する使用履歴データを抽出する（ステップＳ２３０１）。そして、損益予測装置２００は、使用履歴データを抽出したか否かを判断する（ステップＳ２３０２）。
【０２０１】
ここで、損益予測装置２００は、使用履歴データを抽出しなかった場合（ステップＳ２３０２：Ｎｏ）、ステップＳ２３０９に移行する。一方、損益予測装置２００は、使用履歴データを抽出した場合（ステップＳ２３０２：Ｙｅｓ）、抽出した使用履歴データの中から使用履歴を抽出する（ステップＳ２３０３）。
【０２０２】
つぎに、損益予測装置２００は、抽出した使用履歴の使用時刻に対応する使用時間を算出し（ステップＳ２３０４）、資材マスタ７００を参照して、使用履歴の資材名に対応する資材の単価を特定する（ステップＳ２３０５）。そして、損益予測装置２００は、算出した使用時間と、特定した資材の単価とを掛け合わせることにより資材コストｃMを算出する（ステップＳ２３０６）。
【０２０３】
つぎに、損益予測装置２００は、生育ステージＳｊの実績コストＣR（ｊ）を「ＣR（ｊ）＝ＣR（ｊ）＋ｃM」として（ステップＳ２３０７）、使用履歴データの中から抽出していない未抽出の使用履歴があるか否かを判断する（ステップＳ２３０８）。
【０２０４】
ここで、損益予測装置２００は、未抽出の使用履歴がある場合（ステップＳ２３０８：Ｙｅｓ）、ステップＳ２３０３に戻る。一方、損益予測装置２００は、未抽出の使用履歴がない場合（ステップＳ２３０８：Ｎｏ）、生育ステージＳｊの「ｊ」をインクリメントする（ステップＳ２３０９）。
【０２０５】
そして、損益予測装置２００は、生育ステージＳｊの「ｊ」が「ｍ」より大きくなったか否かを判断する（ステップＳ２３１０）。ここで、「ｊ」が「ｍ」以下の場合（ステップＳ２３１０：Ｎｏ）、図２２に示したステップＳ２２０２に移行する。
【０２０６】
一方、「ｊ」が「ｍ」より大きくなった場合（ステップＳ２３１０：Ｙｅｓ）、損益予測装置２００は、生育ステージＳｊごとの実績コストＣR（ｊ）を積算することにより、対象作物の総実績コストＣRを算出して（ステップＳ２３１１）、本フローチャートによる一連の処理を終了する。
【０２０７】
これにより、対象作物の生育ステージＳｊにおける農作業にかかった実績コストＣR（ｊ）を算出することができる。
【０２０８】
＜予測気象データ取得処理手順＞
つぎに、図２１に示したステップＳ２１０３の予測気象データ取得処理の具体的な処理手順について説明する。
【０２０９】
図２４は、予測気象データ取得処理の具体的処理手順の一例を示すフローチャートである。図２４のフローチャートにおいて、まず、損益予測装置２００は、対象年度の気象データとｇ年前の気象データとを比較する比較対象期間ｔを設定する（ステップＳ２４０１）。ただし、「ｇ」は「ｇ＝１，２，…，Ｇ」である。
【０２１０】
つぎに、損益予測装置２００は、気象データＤＢ８００の中から、対象年度の比較対象期間ｔの気象データを抽出する（ステップＳ２４０２）。そして、損益予測装置２００は、抽出した対象年度の比較対象期間ｔの気象データに基づいて、比較元データを算出する（ステップＳ２４０３）。
【０２１１】
つぎに、損益予測装置２００は、気象データＤＢ８００の中から、ｇ年前の年度ごとに、ｇ年前の比較対象期間ｔの気象データを抽出する（ステップＳ２４０４）。そして、損益予測装置２００は、ｇ年前の年度ごとに、抽出したｇ年前の比較対象期間ｔの気象データに基づいて、比較先データを算出する（ステップＳ２４０５）。
【０２１２】
つぎに、損益予測装置２００は、ｇ年前の年度ごとに、比較元データおよび比較先データに基づいて、対象年度の気象データとｇ年前の気象データとの類似度合いを表す類似度ＲＥ（ｇ）を算出する（ステップＳ２４０６）。そして、損益予測装置２００は、算出した類似度ＲＥ（１）〜ＲＥ（Ｇ）に基づいて、対象年度と天候が類似する類似年度を決定する（ステップＳ２４０７）。
【０２１３】
そして、損益予測装置２００は、気象データＤＢ８００の中から、対象年度の期間Ｔｊと同一期間における類似年度の気象データを、対象年度の期間Ｔｊにおける予測データとして抽出して（ステップＳ２４０８）、本フローチャートによる一連の処理を終了する。
【０２１４】
これにより、対象作物の栽培期間Ｔのうち対象作物の生育ステージＳｊに対応する期間Ｔｊにおける予測気象データを取得することができる。
【０２１５】
＜予測コスト算出処理手順＞
つぎに、図２１に示したステップＳ２１０４の予測コスト算出処理の具体的な処理手順について説明する。
【０２１６】
図２５および図２６は、予測コスト算出処理の具体的処理手順の一例を示すフローチャートである。図２５のフローチャートにおいて、まず、損益予測装置２００は、作物生育限界温度マスタ１３００を参照して、対象作物の限界温度下限および限界温度上限を特定する（ステップＳ２５０１）。
【０２１７】
つぎに、損益予測装置２００は、対象作物の現生育ステージＳnowを生育ステージＳｊとする（ステップＳ２５０２）。そして、損益予測装置２００は、標準コストマスタ１０００を参照して、対象作物の生育ステージＳｊにおける農作業にかかる標準コストＣL（ｊ）を特定する（ステップＳ２５０３）。
【０２１８】
つぎに、損益予測装置２００は、ステップＳ２１０３において取得した予測気象データの中から、生育ステージＳｊに対応する期間Ｔｊの予測気象データを抽出する（ステップＳ２５０４）。そして、損益予測装置２００は、抽出した予測気象データを参照して、期間Ｔｊにおける日平均気温ｘ（ｊ）を算出する（ステップＳ２５０５）。
【０２１９】
つぎに、損益予測装置２００は、抽出した予測気象データを参照して、期間Ｔｊにおける日平均気温のうち、対象作物の限界温度下限以下または限界温度上限以上となる日平均気温を除く残余の日平均気温の積算値Ｘ（ｊ）を算出する（ステップＳ２５０６）。
【０２２０】
つぎに、損益予測装置２００は、抽出した予測気象データを参照して、期間Ｔｊにおける降水量の積算値Ｙ（ｊ）を算出する（ステップＳ２５０７）。つぎに、損益予測装置２００は、抽出した予測気象データを参照して、期間Ｔｊにおける日照時間の積算値Ｚ（ｊ）を算出して（ステップＳ２５０８）、図２６に示すステップＳ２６０１に移行する。
【０２２１】
図２６のフローチャートにおいて、まず、損益予測装置２００は、天候コストマスタ１１００を参照して、対象作物の生育ステージＳｊに対応する天候コスト情報を特定する（ステップＳ２６０１）。そして、損益予測装置２００は、天候コスト情報を特定したか否かを判断する（ステップＳ２６０２）。
【０２２２】
ここで、損益予測装置２００は、天候コスト情報を特定した場合（ステップＳ２６０２：Ｙｅｓ）、図２５に示したステップＳ２５０５〜ステップＳ２５０８の算出結果に基づいて、特定した天候コスト情報が表す気象条件を満たすか否かを判定する（ステップＳ２６０３）。
【０２２３】
ここで、気象条件を満たす場合（ステップＳ２６０３：Ｙｅｓ）、損益予測装置２００は、対象作物の生育ステージＳｊと天候コスト情報が表す対処策とを関連付ける（ステップＳ２６０４）。そして、損益予測装置２００は、特定した天候コスト情報を参照して、対処策にかかる天候コストＣW（ｊ）を算出する（ステップＳ２６０５）。
【０２２４】
つぎに、損益予測装置２００は、天候コストＣW（ｊ）と標準コストＣL（ｊ）とを積算することにより、対象作物の生育ステージＳｊの予測コストＣP（ｊ）を算出する（ステップＳ２６０６）。そして、損益予測装置２００は、生育ステージＳｊの「ｊ」をインクリメントして（ステップＳ２６０７）、「ｊ」が「ｍ」より大きくなったか否かを判断する（ステップＳ２６０８）。
【０２２５】
ここで、「ｊ」が「ｍ」以下の場合（ステップＳ２６０８：Ｎｏ）、損益予測装置２００は、図２５に示したステップＳ２５０３に移行する。一方、「ｊ」が「ｍ」より大きくなった場合（ステップＳ２６０８：Ｙｅｓ）、損益予測装置２００は、生育ステージＳｊごとの予測コストＣP（ｊ）を積算することにより、対象作物の総予測コストＣPを算出して（ステップＳ２６０９）、本フローチャートによる一連の処理を終了する。
【０２２６】
また、ステップＳ２６０２において、損益予測装置２００は、天候コスト情報を特定しなかった場合（ステップＳ２６０２：Ｎｏ）、天候コストＣW（ｊ）を「ＣW（ｊ）＝０」として（ステップＳ２６１０）、ステップＳ２６０６に移行する。
【０２２７】
また、ステップＳ２６０３において、損益予測装置２００は、気象条件を満たさない場合（ステップＳ２６０３：Ｎｏ）、天候コストＣW（ｊ）を「ＣW（ｊ）＝０」として（ステップＳ２６１０）、ステップＳ２６０６に移行する。
【０２２８】
これにより、対象作物の生育ステージＳｊにおける農作業にかかる予測コストＣP（ｊ）を算出することができる。
【０２２９】
＜損益予測処理手順＞
つぎに、図２１に示したステップＳ２１０５の損益予測処理の具体的な処理手順について説明する。
【０２３０】
図２７は、損益予測処理の具体的処理手順の一例を示すフローチャートである。図２７のフローチャートにおいて、まず、損益予測装置２００は、標準反収マスタ１２００を参照して、対象作物の予測売上ＳＶを特定する（ステップＳ２７０１）。
【０２３１】
つぎに、損益予測装置２００は、コスト管理テーブル１８００を参照して、生育ステージＳｊごとの実績コストＣR（ｊ）および予測コストＣP（ｊ）を積算することにより、対象作物の総コストＣを算出する（ステップＳ２７０２）。
【０２３２】
そして、損益予測装置２００は、算出した対象作物の総コストＣが、特定した対象作物の予測売上ＳＶよりも大きくなるか否かを判断する（ステップＳ２７０３）。ここで、総コストＣが予測売上ＳＶよりも大きくなる場合（ステップＳ２７０３：Ｙｅｓ）、損益予測装置２００は、コスト管理テーブル１８００を参照して、対象作物の損益が赤字となる生育ステージＳｊを特定する（ステップＳ２７０４）。
【０２３３】
そして、損益予測装置２００は、特定した生育ステージＳｊに採算オーバーになる旨のメッセージを作成する（ステップＳ２７０５）。また、ステップＳ２７０３において、総コストＣが予測売上ＳＶ以下となる場合（ステップＳ２７０３：Ｎｏ）、損益予測装置２００は、対象作物の損益が黒字になる旨のメッセージを作成する（ステップＳ２７０６）。
【０２３４】
つぎに、損益予測装置２００は、コスト管理テーブル１８００を参照して、各種グラフを作成する（ステップＳ２７０７）。各種グラフは、例えば、図２０に示したグラフ２００６〜２００９である。そして、損益予測装置２００は、作成したメッセージと各種グラフとに基づいて、損益予測画面を作成して（ステップＳ２７０８）、本フローチャートによる一連の処理を終了する。損益予測画面は、例えば、図２０に示した損益予測画面２０００である。
【０２３５】
これにより、対象圃場において栽培される対象作物の損益を予測して損益予測結果を表示する損益予測画面を作成することができる。
【０２３６】
以上説明したように、実施の形態２にかかる損益予測装置２００によれば、標準コストマスタ１０００を参照して、対象作物の生育ステージＳｊに対応する標準コストＣL（ｊ）を特定することができる。これにより、対象作物の生育ステージＳｊにおける農作業にかかる標準的な費用を表す標準コストＣL（ｊ）を特定することができる。
【０２３７】
また、損益予測装置２００によれば、天候コストマスタ１１００を参照して、対象作物の生育ステージＳｊに対応する期間Ｔｊにおける予測気象データが、対象作物の生育ステージＳｊに対応する特定の気象条件を満たすか否かを判定することができる。そして、損益予測装置２００によれば、特定の気象条件を満たす場合は、特定の気象条件下における生育ステージＳｊに対応する対処策の天候コストＣW（ｊ）を特定することができる。これにより、特定の気象条件下における生育ステージＳｊの対象作物に対して施すべき対処策にかかる天候コストＣW（ｊ）を特定することができる。
【０２３８】
また、損益予測装置２００によれば、特定した天候コストＣW（ｊ）と標準コストＣL（ｊ）とを積算することにより、対象作物の生育ステージＳｊにおける農作業にかかる予測コストＣP（ｊ）を算出することができる。これにより、例えば、営農者は、特定の天候時に生育ステージＳｊの対象作物に対して施すべき対処策にかかる天候コストＣW（ｊ）が考慮された、対象作物の生育ステージＳｊにおける農作業にかかる予測コストＣP（ｊ）を予測することができる。
【０２３９】
また、損益予測装置２００によれば、特定の気象条件を満たさない場合は、対象作物の生育ステージＳｊにおける農作業にかかる標準コストＣL（ｊ）を、対象作物の生育ステージＳｊにおける農作業にかかる予測コストＣP（ｊ）として算出することができる。
【０２４０】
また、損益予測装置２００によれば、特定の気象条件を満たす場合は、生育ステージＳｊの対象作物に対して施すべき対処策を、予測コストＣP（ｊ）と関連付けて出力することができる。これにより、例えば、営農者は、生育ステージＳｊにおいて対象作物に対して施すべき対処策を判断することができる。
【０２４１】
また、損益予測装置２００によれば、生育ステージＳｊごとの実績コストＣR（ｊ）および予測コストＣP（ｊ）を積算することにより、対象作物の総コストＣを算出することができる。これにより、例えば、営農者は、対象作物の農作業にかかる総コストＣを予測することができる。
【０２４２】
また、損益予測装置２００によれば、総実績コストＣRのうち現生育ステージＳnowの実績コストを除く残余の実績コストと、総予測コストＣPとを積算することにより、対象作物の総コストＣを算出することができる。これにより、総実績コストＣRの中から現生育ステージＳnowの実績コストを除外して、対象作物の総コストＣを算出することができ、総コストＣの算出精度の向上を図ることができる。
【０２４３】
また、損益予測装置２００によれば、対象作物の総コストＣが、対象圃場に対象作物を栽培することにより得られる予測売上ＳＶよりも大きくなるか否かを判断することができる。これにより、例えば、営農者は、対象圃場に対象作物を栽培することによる損益を予測することができる。
【０２４４】
また、損益予測装置２００によれば、対象作物の各生育ステージＳｊの積算コストＣ（ｊ）と予測売上ＳＶとを比較することにより、積算コストＣ（ｊ）が予測売上ＳＶよりも大きくなる生育ステージＳｊを特定することができる。これにより、例えば、営農者は、どの生育ステージＳｊにおいて積算コストＣ（ｊ）が予測売上ＳＶよりも大きくなるかを予測することができる。
【０２４５】
なお、本実施の形態で説明した費用算出方法は、予め用意されたプログラムをパーソナル・コンピュータやワークステーション等のコンピュータで実行することにより実現することができる。本費用算出プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本費用算出プログラムは、インターネット等のネットワークを介して配布してもよい。
【０２４６】
上述した実施の形態に関し、さらに以下の付記を開示する。
【０２４７】
（付記１）コンピュータが、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行することを特徴とする費用算出方法。
【０２４８】
（付記２）前記算出する処理は、
前記予測値が前記気象条件を満たさない場合、前記標準的な費用に基づいて、前記作物の前記生育ステージにおける農作業にかかる予測費用を算出することを特徴とする付記１に記載の費用算出方法。
【０２４９】
（付記３）前記出力する処理は、
前記予測値が前記気象条件を満たす場合、前記生育ステージの前記作物に対して施すべき前記対処策を表す情報を前記予測費用と関連付けて出力することを特徴とする付記１または２に記載の費用算出方法。
【０２５０】
（付記４）前記記憶部は、前記作物の生育ステージごとに、気象条件を表す前記気象要素の指標値と、前記気象条件下における前記生育ステージの前記作物に対して施すべき対処策にかかる費用とを対応付けて記憶しており、
前記コンピュータが、
前記作物の生育ステージごとに、前記取得する処理、前記判定する処理および前記算出する処理を実行し、
算出した前記生育ステージごとの前記予測費用を積算することにより、前記作物の農作業にかかる総予測費用を算出し、
算出した前記総予測費用を出力する、
処理を実行することを特徴とする付記１〜３のいずれか一つに記載の費用算出方法。
【０２５１】
（付記５）前記コンピュータが、
現時点までに前記作物の農作業にかかった費用を取得し、
前記作物の生育ステージのうち前記現時点の生育ステージ以降の生育ステージごとに、前記取得する処理、前記判定する処理および前記算出する処理を実行し、
前記総予測費用を算出する処理は、
取得した前記農作業にかかった費用と、算出した前記生育ステージごとの前記予測費用とを積算することにより、前記作物の農作業にかかる総予測費用を算出することを特徴とする付記４に記載の費用算出方法。
【０２５２】
（付記６）前記総予測費用を算出する処理は、
取得した前記農作業にかかった費用のうち前記現時点の生育ステージにおける前記作物の農作業にかかった費用を除く残余の費用と、算出した前記生育ステージごとの前記予測費用とを積算することにより、前記作物の農作業にかかる総予測費用を算出することを特徴とする付記５に記載の費用算出方法。
【０２５３】
（付記７）前記コンピュータが、
算出した前記総予測費用が、前記圃場に前記作物を栽培することにより得られる予測売上よりも大きくなるか否かを判断し、
判断した判断結果を出力する、
処理を実行することを特徴とする付記４〜６のいずれか一つに記載の費用算出方法。
【０２５４】
（付記８）コンピュータに、
圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得し、
気象条件を表す前記気象要素の指標値と、前記気象条件下における前記生育ステージの前記作物に対して施すべき対処策にかかる費用とを対応付けて記憶する記憶部を参照して、取得した前記予測値が前記気象条件を満たすか否かを判定し、
前記予測値が前記気象条件を満たす場合、前記対処策にかかる費用と前記標準的な費用とに基づいて、前記作物の前記生育ステージにおける農作業にかかる予測費用を算出し、
算出した前記予測費用を出力する、
処理を実行させることを特徴とする費用算出プログラム。
【０２５５】
（付記９）圃場において栽培される作物の栽培期間のうち前記作物のいずれかの生育ステージに対応する期間における天気の特性を表す気象要素の予測値と、前記作物の前記生育ステージにおける農作業にかかる標準的な費用とを取得する取得部と、
気象条件を表す前記気象要素の指標値と、前記気象条件下における前記生育ステージの前記作物に対して施すべき対処策にかかる費用とを対応付けて記憶する記憶部を参照して、前記取得部によって取得された前記予測値が前記気象条件を満たすか否かを判定する判定部と、
前記判定部によって前記予測値が前記気象条件を満たすと判定された場合、前記対処策にかかる費用と前記標準的な費用とに基づいて、前記作物の前記生育ステージにおける農作業にかかる予測費用を算出する算出部と、
前記算出部によって算出された前記予測費用を出力する出力部と、
を有することを特徴とする費用算出装置。
【符号の説明】
【０２５６】
１００  費用算出装置
２００  損益予測装置
１４０１  取得部
１４０２  判定部
１４０３  第１の算出部
１４０４  第２の算出部
１４０５  第３の算出部
１４０６  判断部
１４０７  抽出部
１４０８  出力部
【国際調査報告】
2013128557.tif 000030
2013128557.tif 000031
2013128557.tif 000032
2013128557.tif 000033